(57)【要約】【課題】複数回の検索によって所望の検索結果を得る場合に、煩雑な入力を行うことなく、所望の検索結果を効率良く得ることが可能な技術を提供する。【解決手段】複数項目に含まれる各項目に１以上の要素が属し且つ複数項目に各々属する複数の要素の組合せを各々示す複数通りの情報を含んでそれぞれ構成された第１及び第２の関連情報を記憶しておく。次に、１以上の要素を示す第１の検索ルールの入力に応答して、第１の関連情報から該第１の検索ルールに対応する第１の一部関連情報を取得し、該第１の一部関連情報に基づく第１の一覧表示を表示する。更に、第１の一覧表示に含まれた１以上の要素を示す第２の検索ルールの入力に応答して、第２の関連情報から該第２の検索ルールに対応する第２の一部関連情報を取得し、該第２の一部関連情報を含む情報に基づく第２の一覧表示を表示する。【選択図】図１１
2008287475.tif 000002
【特許請求の範囲】
【請求項１】
複数の項目に含まれる各項目に１以上の要素が属し、且つ前記複数の項目にそれぞれ属する複数の要素の組合せを各々示す複数通りの組合せ情報を含んで、それぞれ構成された第１及び第２の関連情報を記憶する記憶手段と、
前記第１の関連情報に含まれた１以上の要素を示す第１の検索ルールの入力に応答して、該第１の関連情報から該第１の検索ルールに対応する第１の一部関連情報を取得する取得手段と、
前記第１の一部関連情報に基づき、各項目間で、該各項目に属する１以上の要素どうしがネットワーク状に関連付けられた第１の一覧表示を可視的に出力する表示手段と、
を備え、
前記取得手段が、
前記第１の一覧表示に含まれた１以上の要素を示す第２の検索ルールの入力に応答して、前記第２の関連情報から該第２の検索ルールに対応する第２の一部関連情報を取得し、
前記表示手段が、
前記第２の一部関連情報を含む情報に基づき、各項目間で、該各項目に属する１以上の要素どうしがネットワーク状に関連付けられた第２の一覧表示を可視的に出力することを特徴とするデータベースシステム。
【請求項２】
請求項１に記載のデータベースシステムであって、
前記第２の検索ルールで示された１以上の要素を起点とし、前記第１の一部関連情報に対して前記第２の一部関連情報を連結させて、連結後一部関連情報を生成する生成手段、
を更に備え、
前記第２の一部関連情報を含む情報が、
前記連結後一部関連情報を含むことを特徴とするデータベースシステム。
【請求項３】
請求項１または請求項２に記載のデータベースシステムであって、
前記第１の一覧表示において、ユーザの動作に応答して、該第１の一覧表示に含まれた１以上の要素を指定することで、前記第２の検索ルールを入力するルール入力手段、
を更に備えることを特徴とするデータベースシステム。
【請求項４】
請求項１から請求項３のいずれかに記載のデータベースシステムであって、
前記第２の検索ルールが、
前記第１の一覧表示に含まれた２以上の要素の組合せを示す情報を含むことを特徴とするデータベースシステム。
【請求項５】
請求項１から請求項４のいずれかに記載のデータベースシステムであって、
前記第１の一覧表示を可視的に出力するための第１の表示用情報を保持しつつ、前記第２の一覧表示を可視的に出力するための第２の表示用情報を保持する情報保持手段、
を更に備え、
前記表示手段が、
ユーザの動作に応答して、前記第１の表示用情報に基づき、前記第１の一覧表示を可視的に出力する一方で、前記第２の表示用情報に基づき、前記第２の一覧表示を可視的に出力することを特徴とするデータベースシステム。
【請求項６】
請求項４に記載のデータベースシステムであって、
前記取得手段が、
前記第１の一覧表示に含まれた１以上の要素を示し、且つ前記第２の検索ルールとは異なる第３の検索ルールの入力に応答して、前記第２の関連情報から該第３の検索ルールに対応する第３の一部関連情報を取得し、
前記表示手段が、
前記第３の一部関連情報を含む情報に基づき、各項目間で、該各項目に属する１以上の要素どうしがネットワーク状に関連付けられた第３の一覧表示を可視的に出力し、
前記情報保持手段が、
前記第２の表示用情報を保持しつつ、前記第３の一覧表示を可視的に出力するための第３の表示用情報を保持し、
前記表示手段が、
ユーザの動作に応答して、前記第２の表示用情報に基づき、前記第２の一覧表示を可視的に出力する一方で、前記第３の表示用情報に基づき、前記第３の一覧表示を可視的に出力することを特徴とするデータベースシステム。
【請求項７】
請求項１から請求項６のいずれかに記載のデータベースシステムであって、
前記第１及び第２の関連情報が、
ＲＤＦで記述されていることを特徴とするデータベースシステム。
【請求項８】
請求項１から請求項７のいずれかに記載のデータベースシステムであって、
前記第１及び第２の関連情報が、
医療に関するレポートを構成する要素が関連付けられた情報であることを特徴とするデータベースシステム。
【請求項９】
請求項８に記載のデータベースシステムであって、
前記医療に関するレポートが、
読影レポートを含むことを特徴とするデータベースシステム。
【請求項１０】
データベースシステムに含まれるコンピュータによって実行されることにより、前記データベースシステムを、請求項１から請求項９のいずれかに記載のデータベースシステムとして機能させるプログラム。
【発明の詳細な説明】
【技術分野】
【０００１】
本発明は、データベースシステムに関する。
【背景技術】
【０００２】
近年、過去の知識を有効利用するために、各種データが体系的に蓄積されたデータベースを検索対象として、キーワード等によって構成された検索条件に対応する検索結果を取得して提示する検索システムが広く実現されている。
【０００３】
この検索システムでは、ユーザによる一度の検索条件の入力に対して、所望の検索結果が得られることは非常に希である。一般的には、ユーザは、検索条件を入力して、検索処理によって得られた検索結果を閲覧し、所望の検索結果が得られていない場合には、再度検索条件を入力し直して、再度検索処理によって得られた検索結果を閲覧するといった手順を繰り返す。つまり、検索条件の入力と検索結果の閲覧との複数回の繰り返しにより、所望の検索結果を得ることが行われている。
【０００４】
このように検索条件の入力と検索結果の閲覧とが繰り返される検索システムにおいて、所望の検索結果を効率的に得るための技術が種々提案されている（例えば、特許文献１〜４など）。
【０００５】
例えば、特許文献１〜３では、一度検索処理を行って得られた検索結果を保存しておき、保存されている検索結果に対して、再検索を行うことで、検索結果を絞り込んでいく技術（絞り込み検索技術）が提案されている。また、特許文献４では、直前に得られた検索結果を次回の検索条件として利用して再検索を行う技術が提案されている。
【０００６】
また、インターネットにおける著名な各種検索サイトでは、検索結果を閲覧しつつ、自らキーワードを打ち直しながら再検索を行う技術（再検索技術）や、絞り込み検索のメニューを適宜選択して検索結果を絞り込んでいく絞り込み検索技術が実現されている。
【０００７】
【特許文献１】特開平８−９５９８０号公報
【特許文献２】特開２００２−３７３１７４号公報
【特許文献３】特開２００３−１４１１４５号公報
【特許文献４】特開２０００−３４８０４６号公報
【発明の開示】
【発明が解決しようとする課題】
【０００８】
しかしながら、単なる再検索では、既に入力した検索条件や検索結果を再利用することができず、検索条件の入力の繰り返し等といった煩雑な操作が必要となり、更に、検索対象が大量のデータである場合には、検索処理の都度、ある程度の検索時間を要する。このため、ユーザが効率良く所望の検索結果を得ることができない。また、特許文献１〜３で提案されている絞り込み検索技術では、直前に得られた検索結果を絞り込むのみであるため、検索結果を閲覧して、所望の検索結果が含まれていない場合には、再度、検索条件の入力からやり直さなければならず、単なる再検索と同様な問題を生じる。更に、特許文献４で提案されている技術でも、単なる再検索や絞り込み検索技術と同様な問題を生じる。
【０００９】
本発明は、上記課題に鑑みてなされたものであり、複数回の検索によって所望の検索結果を得る場合に、煩雑な入力を行うことなく、所望の検索結果を効率良く得ることが可能な技術を提供することを目的とする。
【課題を解決するための手段】
【００１０】
上記の課題を解決するために、請求項１の発明は、複数の項目に含まれる各項目に１以上の要素が属し、且つ前記複数の項目にそれぞれ属する複数の要素の組合せを各々示す複数通りの組合せ情報を含んで、それぞれ構成された第１及び第２の関連情報を記憶する記憶手段と、前記第１の関連情報に含まれた１以上の要素を示す第１の検索ルールの入力に応答して、該第１の関連情報から該第１の検索ルールに対応する第１の一部関連情報を取得する取得手段と、前記第１の一部関連情報に基づき、各項目間で、該各項目に属する１以上の要素どうしがネットワーク状に関連付けられた第１の一覧表示を可視的に出力する表示手段とを備え、前記取得手段が、前記第１の一覧表示に含まれた１以上の要素を示す第２の検索ルールの入力に応答して、前記第２の関連情報から該第２の検索ルールに対応する第２の一部関連情報を取得し、前記表示手段が、前記第２の一部関連情報を含む情報に基づき、各項目間で、該各項目に属する１以上の要素どうしがネットワーク状に関連付けられた第２の一覧表示を可視的に出力することを特徴とする。
【００１１】
また、請求項２の発明は、請求項１に記載のデータベースシステムであって、前記第２の検索ルールで示された１以上の要素を起点とし、前記第１の一部関連情報に対して前記第２の一部関連情報を連結させて、連結後一部関連情報を生成する生成手段を更に備え、前記第２の一部関連情報を含む情報が、前記連結後一部関連情報を含むことを特徴とする。
【００１２】
また、請求項３の発明は、請求項１または請求項２に記載のデータベースシステムであって、前記第１の一覧表示において、ユーザの動作に応答して、該第１の一覧表示に含まれた１以上の要素を指定することで、前記第２の検索ルールを入力するルール入力手段、
を更に備えることを特徴とする。
【００１３】
また、請求項４の発明は、請求項１から請求項３のいずれかに記載のデータベースシステムであって、前記第２の検索ルールが、前記第１の一覧表示に含まれた２以上の要素の組合せを示す情報を含むことを特徴とする。
【００１４】
また、請求項５の発明は、請求項１から請求項４のいずれかに記載のデータベースシステムであって、前記第１の一覧表示を可視的に出力するための第１の表示用情報を保持しつつ、前記第２の一覧表示を可視的に出力するための第２の表示用情報を保持する情報保持手段を更に備え、前記表示手段が、ユーザの動作に応答して、前記第１の表示用情報に基づき、前記第１の一覧表示を可視的に出力する一方で、前記第２の表示用情報に基づき、前記第２の一覧表示を可視的に出力することを特徴とする。
【００１５】
また、請求項６の発明は、請求項４に記載のデータベースシステムであって、前記取得手段が、前記第１の一覧表示に含まれた１以上の要素を示し、且つ前記第２の検索ルールとは異なる第３の検索ルールの入力に応答して、前記第２の関連情報から該第３の検索ルールに対応する第３の一部関連情報を取得し、前記表示手段が、前記第３の一部関連情報を含む情報に基づき、各項目間で、該各項目に属する１以上の要素どうしがネットワーク状に関連付けられた第３の一覧表示を可視的に出力し、前記情報保持手段が、前記第２の表示用情報を保持しつつ、前記第３の一覧表示を可視的に出力するための第３の表示用情報を保持し、前記表示手段が、ユーザの動作に応答して、前記第２の表示用情報に基づき、前記第２の一覧表示を可視的に出力する一方で、前記第３の表示用情報に基づき、前記第３の一覧表示を可視的に出力することを特徴とする。
【００１６】
また、請求項７の発明は、請求項１から請求項６のいずれかに記載のデータベースシステムであって、前記第１及び第２の関連情報が、ＲＤＦで記述されていることを特徴とする。
【００１７】
また、請求項８の発明は、請求項１から請求項７のいずれかに記載のデータベースシステムであって、前記第１及び第２の関連情報が、医療に関するレポートを構成する要素が関連付けられた情報であることを特徴とする。
【００１８】
また、請求項９の発明は、請求項８に記載のデータベースシステムであって、前記医療に関するレポートが、読影レポートを含むことを特徴とする。
【００１９】
また、請求項１０の発明は、データベースシステムに含まれるコンピュータによって実行されることにより、前記データベースシステムを、請求項１から請求項９のいずれかに記載のデータベースシステムとして機能させるプログラムである。
【発明の効果】
【００２０】
請求項１から請求項９のいずれに記載の発明によっても、１つの関連情報から検索ルールに対応する一部関連情報が取得されて、この一部関連情報に基づく一覧表示が可視的に出力され、次に、この一覧表示に含まれた１以上の要素を示す次の検索ルールに対応する別の一部関連情報が、他の関連情報から取得されて、この別の一部関連情報を含む情報に基づく一覧表示が可視的に出力されるような構成を採用することで、前回の検索結果では含まれていなかった情報を、前回の検索結果を利用しつつ得ることができるため、複数回の検索によって所望の検索結果を得る場合に、煩雑な入力を行うことなく、所望の検索結果を効率良く得ることができる。
【００２１】
請求項３に記載の発明によれば、一覧表示において、検索ルールに関する要素の指定を行うことができるため、容易に次の検索ルールを入力することができる。
【００２２】
請求項４に記載の発明によれば、一覧表示を参照することで、検索ルールに関する詳細な要素の指定が可能となるため、所望の検索結果を更に効率良く得ることができる。
【００２３】
請求項５及び請求項６のいずれに記載の発明によっても、既に表示された一覧表示を可視的に出力するための情報が履歴として保持されているため、既に表示された一覧表示を容易に再表示させることができる。
【００２４】
請求項７に記載の発明によれば、ＲＤＦを用いることで、容易に関連情報や一部関連情報を記述することができる。
【００２５】
請求項８に記載の発明によれば、医療に関するレポートを作成する際に参考となる情報が効率良く得られるため、医療に関するレポートの適正かつ迅速な作成に資する。
【００２６】
請求項９に記載の発明によれば、読影レポートを作成する際に参考となる情報が効率良く得られるため、読影レポートの適正かつ迅速な作成に資する。
【００２７】
請求項１０に記載の発明によれば、請求項１から請求項９に記載の発明と同様な効果を得ることができる。
【発明を実施するための最良の形態】
【００２８】
以下、本発明の実施形態を図面に基づいて説明する。
【００２９】
＜情報処理システムの概要＞
図１は、本発明の実施形態に係る情報処理システム１の概要を示す図である。
【００３０】
情報処理システム１は、例えば、病院内で診療情報を管理・処理するためのシステムであり、ＬＡＮ等のネットワーク回線ＬＮに、レポート作成支援サーバ１００、ＰＡＣＳ（医用画像管理システム：Picture Archiving and Communication System）サーバ２００、レポート作成用端末１０、及びＰＡＣＳ端末２０，３０が相互にデータ送受信可能に接続されて構成される。
【００３１】
ＰＡＣＳサーバ２００は、ＣＴ(computed tomography)やＭＲ(Magnetic Resonance)を利用した医療機器により取得された画像データ、及び各種レポートを示す情報（レポート情報）等の各種診療情報を蓄積したデータベース（診療情報ＤＢ）２１０を備える。ここでは、各種レポートには、いわゆる読影レポート、及び確定診断が記述されたレポート（診断レポート）、血圧測定の結果が記述されたレポート（看護レポート）等といった医療に関するレポート（医療レポート）が含まれる。そして、レポート情報には、読影レポートを示す情報（読影レポート情報）、診断レポートを示す情報（診断レポート情報）、及び看護レポートを示す情報（看護レポート情報）が含まれる。
【００３２】
また、診療情報ＤＢ２１０には、多数の患者についての検査の一覧を示すリスト（検査リスト）の情報（検査リスト情報）が格納される。検査リスト情報には、例えば、検査毎にＤＩＣＯＭ(Digital Imaging and Communications in Medicine)属性が付与されており、その中には、モダリティや検査部位等に係る情報が含まれる。具体的には、検査リスト情報には、例えば、各検査に係る患者の属性（患者ＩＤ、患者氏名、生年月日、年齢、性別）、読影レポートを作成したか否かを示す状態、検査を特定するＩＤ（検査ＩＤ）、検査日、検査対象にあたる部位（検査部位）、撮影機器を示すモダリティ、及び撮影枚数をそれぞれ示す情報が含まれる。そして、診療情報ＤＢ２１０では、担当医からのオーダーリング（依頼事項）や検査の詳細（患者や検査に係る情報）を示す属性情報が検査ＩＤと関連付けられて格納される。
【００３３】
ＰＡＣＳ端末２０，３０は、診療情報ＤＢ２１０に蓄積された画像データを可視的に出力して、閲覧可能とする。
【００３４】
レポート作成支援サーバ１００は、診療情報ＤＢ２１０に蓄積されたレポート情報を解析することで、新規なレポートの作成を支援する情報を蓄積したデータベース（支援情報ＤＢ）５００を構築し、レポート作成用端末１０におけるレポートの作成を支援する。
【００３５】
レポート作成用端末１０は、ＰＡＣＳ端末２０，３０で可視的に出力された画像データを閲覧しつつ、新規なレポートの作成を行う端末である。このレポート作成用端末１０では、支援情報ＤＢ５００に格納されている各種情報が適宜参照可能であり、医師（例えば、読影医）によるレポート（ここでは、読影レポート）の作成が支援される。
【００３６】
なお、レポート作成用端末１０、及びＰＡＣＳ端末２０，３０は、それぞれ一般的なパーソナルコンピュータ（パソコン）において専用のプログラムが実行されて実現される。
【００３７】
このように、情報処理システム１は、支援情報ＤＢ５００に蓄積された情報の取得及び提示を行うシステム（データベースシステム）として機能するとともに、レポートを入力するシステム（レポーティングシステム）として機能する。そして、情報処理システム１では、情報を検索して提示する機能（情報検索機能）に特別な工夫が加えられ、支援情報ＤＢ５００から複数回の検索によって所望の検索結果を得る場合に、煩雑な入力を伴うことなく、所望の検索結果を効率的に得ることが可能となっている。
【００３８】
情報処理システム１では、読影レポートの入力を支援する機能（入力支援機能）に情報検索機能が組み込まれているため、以下、入力支援機能について説明しつつ、その中で、情報検索機能について説明する。
【００３９】
＜入力支援機能＞
入力支援機能によって実現される動作は、主に、レポートの入力を支援する情報（支援情報）を生成する動作（支援情報生成動作）、新規な読影レポートの入力対象となる検査を特定する動作（検査特定動作）、及び支援情報に基づいて新規な読影レポートの入力を実際に支援する動作（入力支援動作）の３つの動作を備える。なお、情報検索機能によって実現される動作（情報検索動作）は、入力支援動作に含まれる。
【００４０】
図２は、情報処理システム１のうち入力支援機能、及び入力支援機能を利用した新規な読影レポートの入力に係る機能構成を示すブロック図である。なお、ＰＡＣＳ端末２０，３０はそれぞれ同様な機能を有するため、図２では１つにまとめて記載されている。
【００４１】
図２で示す機能構成は、レポート作成支援サーバ１００、ＰＡＣＳサーバ２００、レポート作成用端末１０、及びＰＡＣＳ端末２０，３０において、それぞれ記憶部に記憶されたプログラムをＣＰＵ等で実行することで実現される。
【００４２】
レポート作成支援サーバ１００は、主にサーバ制御部１０１、及び記憶部１０２を備える。
【００４３】
記憶部１０２は、ハードディスク等によって構成され、プログラムＰＧ１、設定ファイルＤＢ５１０、及び支援情報ＤＢ５００を格納する。
【００４４】
設定ファイルＤＢ５１０には、検索ルールの各形式（検索形式）に対し、画面生成ルールがそれぞれ関連付けられたファイル情報（設定ファイル）が記憶される。ここで、検索ルールは、支援情報ＤＢ５００からの情報の取得を要求するルールであり、検索形式は、どの情報を検索対象として、どのような事項について情報を取得するのかといったことを示す。なお、検索ルールは、ある情報から一部の情報を推論して取得するものであれば良く、例えば、支援情報ＤＢ５００にて、ＲＤＦ（Resource Description Framework、例えば「http://www.w3c.org/RDF/」で公開）を用いて情報を蓄積し、検索ルールに公知のセマンティック・ウェブアプリケーションを構築するためのフレームワークである公知の「Jena」（例えば「http://jena.sourceforge.net/」で公開）でサポートされている推論を適用すれば良い。また、画面生成ルールは、取得された一部の情報を可視的に提示する画面（結果表示画面）を生成するルールであり、例えば、提示対象となる項目の数、種類、提示する項目の順番、表示要素の配置等を規定するものである。
【００４５】
支援情報ＤＢ５００は、ＰＡＣＳサーバ２００内の診療情報ＤＢ２１０に蓄積されたレポート情報から後述する支援情報生成動作によって構築される。
【００４６】
サーバ制御部１０１は、ＣＰＵやＲＡＭやＲＯＭ等を備えて構成され、レポート作成支援サーバ１００の各種動作や機能などを統括制御するものである。そして、サーバ制御部１０１は、記憶部１０２に格納されたプログラムＰＧ１を読み込んで実行することで実現されるデータ読込部１１０、検査済判定部１２０、データ構築部１３０、情報検索部１４０、設定ファイル認識部１４５、及びデータ書込部１６０を機能として有する。
【００４７】
データ読込部１１０は、診療情報ＤＢ２１０から、読影レポート情報と、その読影レポート情報に対応する属性情報（例えば、依頼事項、患者属性、及び検査属性に係る情報）と、検査リスト情報とを読み込む。そして、データ読込部１１０は、支援情報生成動作、及び入力支援動作では、読影レポート情報と属性情報と検査リスト情報とを検査済判定部１２０に送出し、検査特定動作では、検査リスト情報をレポート作成用端末１０に送出する。なお、入力支援動作では、データ読込部１１０は、読影する対象となる検査の画像データを診療情報ＤＢ２１０から読み出して、ＰＡＣＳ端末２０，３０に送出する。
【００４８】
検査済判定部１２０は、検査リスト情報を参照することで、各検査の読影レポートについて所見文等が書き込まれて読影レポートが作成されているか否かを判定する。そして、検査済判定部１２０は、支援情報生成動作では、生成済み（すなわち検査済み）の読影レポート情報を属性情報とともにデータ構築部１３０に送出し、入力支援動作では、未完成（すなわち未検査）の読影レポート情報を属性情報とともにレポート作成用端末１０に送出する。
【００４９】
データ構築部１３０は、複数の読影レポート情報を対象として、読影レポートに含まれる自然文で記述された所見文から必要な要素を抽出するとともに、属性情報に含まれる各種要素も抽出し、ＲＤＦを利用して構造化を行うことで、支援情報を生成して、支援情報ＤＢ５００を構築する。この支援情報は、所見文を構成する複数要素の項目に含まれる各項目間で、複数要素の項目にそれぞれ属する要素が相互に関連付けられた情報（関連情報）を含む。
【００５０】
設定ファイル認識部１４５は、ユーザの動作（ここでは操作部１３の操作）によって入力される検索ルールの検索形式を認識する。そして、設定ファイル認識部１４５は、設定ファイルＤＢ５１０を参照することで、検索形式に対応する画面生成ルールを格納した設定ファイルを認識して採用する。
【００５１】
情報検索部１４０は、検索ルールに従って支援情報ＤＢ５００から一部の情報を取得する。そして、情報検索部１４０は、取得した一部の情報と採用された画面生成ルールとに基づき、複数要素の項目にそれぞれ属する各要素が各項目間で相互に関連付けられた情報（ネットワーク情報）を生成し、検索結果を表示する画面（結果表示画面）を示す表示用のデータ（結果表示画面データ）を生成する。この結果表示画面データは、レポート作成用端末１０に対して出力され、レポート作成用端末１０では、結果表示画面データに基づく結果表示画面が表示部１４で表示される。なお、以下では、結果表示画面データを含む画面を表示するためのデータを「表示用情報」と適宜総称する。
【００５２】
そして、このような検索ルールの入力に応じて、情報の取得、結果表示画面データの生成、及び結果表示画面の表示が行われる一連の動作が、情報検索動作にあたる。なお、情報検索動作には、１回の検索ルールの入力に応じた動作だけでなく、後述する絞り込み検索や参考情報検索などといった複数回の検索ルールの入力に応じた動作も含まれる。
【００５３】
データ書込部１６０は、レポート構成部１５０（後述）で生成された読影レポート情報を診療情報ＤＢ２１０に追加する。
【００５４】
レポート作成用端末１０は、主に、端末制御部１１、記憶部１２、操作部１３、表示部１４を備える。
【００５５】
端末制御部１１は、ＣＰＵやＲＯＭやＲＡＭ等を備えて構成され、レポート作成用端末１０の各種動作や機能などを統括制御するものである。そして、端末制御部１１は、記憶部１２に格納されるプログラムＰＧ２を実行することで実現される入出力部１１ａ、タスク管理部１１ｂ、表示制御部１１ｃ、及びレポート構成部１５０を機能として備える。
【００５６】
入出力部１１ａは、レポート作成用端末１０の外部装置（ここでは、レポート作成支援サーバ１００等）との間で、データを送受信するためのものである。
【００５７】
タスク管理部１１ｂは、新規な読影レポートの入力対象となる検査（レポート入力対象検査）が選択されると、レポート入力対象検査に対応する新規な読影レポートの作成に係るタスクを特定する。
【００５８】
表示制御部１１ｃは、レポート作成支援サーバ１００から入力される各種情報等に基づき、表示部１４で各種画面を可視的に表示させる。例えば、情報検索部１４０から入力される結果表示画面データに基づき、結果表示画面を表示部１４において表示させる。
【００５９】
レポート構成部１５０は、入力支援動作において、ユーザによる入力に応じて要素が構造化されたデータ（構造化データ）の形式で新規なレポート情報（構造化レポート情報）を受け付けて、その構造化レポート情報に基づき、所定のルールに沿った新規な読影レポート情報を生成する。
【００６０】
操作部１３は、キーボードやマウス等を備え、ユーザによって適宜操作されることで、各種信号を端末制御部１１に対して出力する。
【００６１】
表示部１４は、液晶ディスプレイ等の各種ディスプレイによって構成され、例えば、情報検索部１４０から受け付けた結果表示画面データを表示制御部１１ｃの制御に応じて可視的に出力する。
【００６２】
記憶部１２は、レポート作成用端末１０における各種動作や機能などを実現するための各種プログラムや各種データを格納する。
【００６３】
なお、各種情報処理において一時的に生成される各種データは、レポート作成支援サーバ１００、及びレポート作成用端末１０にそれぞれ内蔵されるＲＡＭ等に適宜一時的に記憶される。
【００６４】
以下、図２を適宜参照しつつ、入力支援機能によって実現される主な３動作（支援情報生成動作、検査特定動作、及び入力支援動作）について順次説明する。
【００６５】
＜支援情報生成動作＞
ここでは、支援情報ＤＢ５００に格納される情報のうち、診療情報ＤＢ２１０に格納された読影レポート情報に基づいて生成される情報について説明する。
【００６６】
まず、データ読込部１１０が、診療情報ＤＢ２１０から、読影レポート情報と、この読影レポート情報に対応する属性情報と、検査リスト情報とを読み込み、検査済判定部１２０に送出する。
【００６７】
次に、検査済判定部１２０が、検査リスト情報を参照することで、各検査について読影レポートが作成されているか否かを判定し、生成済みの読影レポート情報を属性情報とともにデータ構築部１３０に送出する。
【００６８】
そして、データ構築部１３０が、読影レポートに含まれる所見文から必要な要素を抽出するとともに、属性情報に含まれる各種要素も抽出し、ＲＤＦを利用して構造化を行う。この読影レポートの要素の構造化は、例えば機械学習を利用して実現される。
【００６９】
ここで、データ構築部１３０の機能、具体的には、機械学習の機能（機械学習機能）、要素を識別する機能（識別機能）、及び識別した要素を関連付けることで読影レポートを構造化する機能（構造化機能）について説明する。
【００７０】
データ構築部１３０の機械学習機能により、教師データとして学習用コーパス等が与えられると、構造化の基準となる情報が学習される。
【００７１】
学習用コーパスは、読影レポートに含まれる所見文の形式（文章モデル）に準じた大量のテキストデータを含む。この文章モデルは、例えば、撮影条件→部位→基本所見（特徴−結語）→診断（診断−結語）といった具合に、所見文の構成を示す。
【００７２】
詳細には、学習用コーパスでは、所見文の文章モデルを構成する各要素の分類項目（以下適宜「項目」と略する）名が各語句に対してタグ付けされている。そして、要素の項目名としては、例えば、「撮影条件」「部位」「基本所見」及び「診断」等が挙げられる。具体的には、例えば、「Ｔ１」「Ｔ２」・・・等の語句に対して要素の項目名「撮影条件」がタグ付けされ、「前頭葉」「側頭葉」・・・等の語句に対して要素の項目名「部位」がタグ付けされ、「高信号域」「低信号域」・・・等の語句に対して要素の項目名「基本所見」がタグ付けされ、「脳梗塞」「脳卒中」・・・等の語句に対して要素の項目名「診断」がタグ付けされている。
【００７３】
なお、データ構築部１３０に対して学習用コーパスが外部から与えられる際に、結語がある程度特定された代表的な文章モデルを示すデータも外部から与えられる。
【００７４】
そして、データ構築部１３０の機械学習機能により、学習用コーパスから語句が抜き出され、対応する要素の項目毎にそれぞれ記憶される。ここで、学習されて記憶されるデータは、読影レポートを構成する各要素をどのように要素の項目に分解すべきかを示すモデルのデータ（モデルデータ）として使用される。
【００７５】
次に、データ構築部１３０の識別機能により、上記モデルデータが基準とされつつ、データ構築部１３０に入力される読影レポート情報を対象として、要素の項目と実際に使用されている語句とが識別される。
【００７６】
なお、上記機械学習だけでは、予め教師データで与えられた要素についてのみ、要素の項目が識別されるが、以下の機械学習を用いると、予め教師データで与えられていなかった要素についても、要素の項目が識別される。
【００７７】
例えば、データ構築部１３０の機械学習機能により、学習用コーパスを形態素解析によって形態素に分解し、形態素毎に、形態素そのもの、形態素の品詞、形態素の活用形、前後（例えば前後２つ）の形態素の情報等を用いて、ある項目に属する形態素が出現するパターン（出現パターン）が学習される。そして、出現パターンに従って、予め与えられていなかった要素についても、要素の分類項目が認識される。
【００７８】
詳細には、例えば、データ構築部１３０の機械学習機能により、学習用コーパスに「**に沿って」（「**」部には種々の語が入る）という文が頻出し、「**」の部分に部位を示す語句が頻出する場合には、「**」の部分には部位を示す語句が入るという出現パターンが学習される。そして、この出現パターンを用いれば、語の前後関係からフレーズ「下垂体／に／沿って」から「下垂体」が部位を示す語句として抽出される。なお、上記機械学習は、いわゆるＳＶＭ（Support Vector Machine）を利用することで実現可能である。
【００７９】
更に、データ構築部１３０の構造化機能により、識別機能によって識別された情報に基づき、読影レポート情報、及び属性情報に含まれる各種情報が、要素の項目毎に属する語句（要素）に分解された後にＲＤＦで記述され、所見文を構成する要素が構造化される。そして、読影レポートに係る属性情報、及び患者に係る属性情報を構成する要素も加えられて、１つの読影レポートを構成する要素が構造化されてＲＤＦで記述されたデータ（以下「単レポート構造化データ」とも称する）が構築され、読影レポート情報が構造化される。
【００８０】
図３は、単レポート構造化データのデータ構成例を示す模式図である。
【００８１】
図３で示すように、単レポート構造化データは、要素（具体的には、属性値等）が記述された複数のノード（図中の楕円や四角）Ｎ０〜Ｎ２６が、項目名（具体的には、属性）を示すアーク（図中の矢印）で繋がれて構成される。図３で示す単レポート構造化データは、患者名を示すノードＮ０を起点として、複数のノードＮ１〜Ｎ２６が複数のアークによって繋がれている。
【００８２】
なお、図３では、図の複雑化の防止と記載の一般化のために、各ノードＮ０〜Ｎ２６内に記述される要素が「○○○」と記述されている。また、各アークが示す属性すなわち項目名は、矢印の傍らに記載されている。なお、「ＲＰＴＡ」は、所定の記述ルールに係る接頭語のようなものである。
【００８３】
ノードＮ１〜Ｎ２６に繋がれるアークがそれぞれ示す属性としては、例えば、患者の性別（RPTA.sex)、患者ＩＤ（RPTA.id）、検査（RPTA.inspection）、検査ＩＤ（RPTA.inspectionID）、状態（RPTA.inspected）、読影医（RPTA.readingPhysician）、報告（RPTA.report）、シリーズ（RPTA.series）、事実（RPTA.fact）、画像（RPTA.view）、自由記入（RPTA.free）、モダリティ（RPTA.modality）、検査部位（RPTA.part）、カテゴリ（RPTA.content）、撮影条件（RPTA.factImage）、部位（RPTA.factPart）、特徴（RPTA.factFeature）、基本所見（RPTA.factCondition）、結語（RPTA.factConclusion）、診断（RPTA.viewDiagnosis）、結語（RPTA.viewConclusion）、接頭辞（RPTA.prefix）、接尾辞（RPTA.suffix）、及び部位の接頭辞（RPTA.PartPrefix）がある。
【００８４】
なお、状態（RPTA.inspected）とは、読影レポートを作成したか否かを示す状態である。検査部位（RPTA.part）とは、ＤＩＣＯＭ属性の検査部位である。また、撮影条件を示すノードＮ１５には、接頭辞を示すノードＮ２２と接尾辞を示すノードＮ２３とがアークで繋がれる。更に、部位を示すノードＮ１６には、接頭辞を示すノードＮ２４と接尾辞を示すノードＮ２５と部位の接頭辞（例えば、ノードＮ１６で示される部位よりも上位概念の部位）を示すノードＮ２６とがアークで繋がれる。また、特徴を示すノードＮ１７は、基本所見を示すノードＮ１８を基準とすれば、接頭辞にあたる。
【００８５】
上述したようなデータ構築部１３０の機械学習機能、識別機能、及び構造化機能により、図３で示したような単レポート構造化データが、診療情報ＤＢ２１０に格納された多数の検査済みの読影レポート情報についてそれぞれ生成される。そして、生成された多数の単レポート構造化データが記憶部１０２に蓄積される。
【００８６】
また、診療情報ＤＢ２１０に格納される多数の診断レポート情報、及び看護レポート情報等についても、上記読影レポート情報と同様な手法で、単レポート構造化データが生成され、記憶部１０２に蓄積されることで、支援情報ＤＢ５００が構築される。なお、支援情報ＤＢ５００は、レポートの種類毎に、多数の単レポート構造化データが区別可能な態様で記憶される。
【００８７】
したがって、支援情報ＤＢ５００には、支援情報として、読影レポート情報を構成する要素が関連付けられた情報（以下「第１関連情報」とも称する）５０１と、診断レポート情報を構成する要素が関連付けられた情報（以下「第２関連情報」とも称する）５０２と、看護レポート情報を構成する要素が関連付けられた情報（以下「第３関連情報」とも称する）５０３とが含まれる。そして、第１〜３関連情報５０１〜５０３では、複数の項目に含まれる各項目に１以上の要素が属しており、且つその複数の項目にそれぞれ属する複数の要素の複数通りの組合せが各単レポート構造化データ（一般的には、組合せ情報）によって各々示される。
【００８８】
なお、第２及び第３関連情報５０２，５０３を構成する単レポート構造化データは、図３で示した第１関連情報を構成する単レポート構造化データと同様に、複数のノードが複数のアークによって繋げられたものである。より詳細には、図３で示した第１関連情報５０１を構成する単レポート構造化データと比較して、第２及び第３関連情報５０２，５０３を構成する単レポート構造化データでは、ノード及びアークの数と、ノード間を繋ぐアークのパターンと、アークがそれぞれ示す属性とが異なる。
【００８９】
具体的には、第２関連情報５０２を構成する単レポート構造化データについては、複数のノードに繋がれるアークがそれぞれ示す属性として、例えば、患者の性別、患者ＩＤ、担当医、読影医、読影医による診断、及び画像、確定診断などが考えられる。また、第３関連情報５０３を構成する単レポート構造化データについては、複数のノードに繋がれるアークがそれぞれ示す属性として、例えば、患者の性別、担当医、患者ＩＤ、測定者（看護師）、画像、血圧などが挙げられる。
【００９０】
そして、第１〜第３関連情報５０１〜５０３は、ＲＤＦを用いて記述することで、容易に記述される。
【００９１】
図４は、支援情報生成動作の動作フローを示すフローチャートである。
【００９２】
本動作フローは、レポート作成支援サーバ１００でプログラムＰＧ１が実行されることで実現され、レポートの種類毎に行われる。
【００９３】
まず、データ読込部１１０により、診療情報ＤＢ２１０からレポート情報が属性情報とともに読み込まれる（ステップＳ１）。次に、データ構築部１３０により、自然文（例えば所見文）が構造化される（ステップＳ２）。更に、各種属性情報が追加されて、図３で示したような単レポート構造化データが生成され（ステップＳ３）、記憶部１０２に記憶される（ステップＳ４）。そして、診療情報ＤＢ２１０に格納された全てのレポート情報について単レポート構造化データが生成されたか否か判定され（ステップＳ５）、全てのレポート情報について単レポート構造化データが生成されるまで、ステップＳ１〜Ｓ５の処理が繰り返され、全てのレポート情報について単レポート構造化データが生成されると、本動作フローが終了する。このような動作により、各関連情報がレポート作成支援サーバ１００内の記憶部１０２に格納されて支援情報ＤＢ５００が構築される。
【００９４】
なお、新規なレポートが作成される度に、診療情報ＤＢ２１０に対して、新規なレポート情報が逐次蓄積される。このとき、新規なレポート情報について単レポート構造化データが生成されて、支援情報ＤＢ５００に追加される。このため、支援情報ＤＢ５００の進化及び充実化が随時行われる。
【００９５】
＜検査特定動作＞
次に、レポート作成用端末１０において、検査リストを示す画面（検査一覧画面）を表示させて、レポート入力対象検査を特定する動作（検査特定動作）について説明する。
【００９６】
まず、データ読込部１１０は、診療情報ＤＢ２１０から検査リスト情報を読み込み、レポート作成用端末１０の端末制御部１１に転送する。
【００９７】
次に、端末制御部１１は、表示制御部１１ｃの機能により、検査リスト情報に基づき、表示部１４に検査一覧画面を表示させる。
【００９８】
図５は、検査一覧画面Ｇ１を例示する図である。図５で示すように、検査一覧画面Ｇ１は、検査に係る情報（具体的には、患者ＩＤ、患者氏名、生年月日、年齢、性別、状態、検査ＩＤ、検査日、検査部位、モダリティ、画像枚数）が一覧表示された画面である。
【００９９】
この検査一覧画面Ｇ１では、状態「未読影」が付された検査が、読影レポートが作成されていない検査であることが分かる。
【０１００】
検査一覧画面Ｇ１では、１つの検査を囲む太枠カーソルＣＳ１が表示される。この太枠カーソルＣＳ１は、ユーザーによる操作部１３の操作に応答して上下に移動され、所望の検査に合わされた状態で、操作部１３の決定ボタン（例えば、リターンキー）が押下されると、太枠カーソルＣＳ１で囲まれた１つの検査がレポート入力対象検査として特定される。このようにして、レポート入力対象検査が特定されると、表示部１４で表示される画面が検査一覧画面Ｇ１から読影レポート入力画面Ｇ２（後述）に遷移する。
【０１０１】
この検査特定動作では、例えば、図５で示すような検査一覧画面Ｇ１でレポート入力対象検査が選択されると、項目「検査部位」に属する要素（例えば、ＳＫＵＬＬ）と項目「モダリティ」に属する要素（例えば、ＣＲ）との組合せも同時に指定され認識される。
【０１０２】
また、レポート入力対象検査が特定されると、タスク管理部１１ｂにより、レポート入力対象検査に対応する新規な読影レポートの作成に係るタスクが特定される。このとき、タスク管理部１１ｂの制御下で、診療情報ＤＢ２１０からレポート入力対象検査に対応する依頼事項、及び検査の詳細を示す属性情報がデータ読込部１１０によって読み込まれ、レポート作成用端末１０の端末制御部１１に提供される。
【０１０３】
＜入力支援動作＞
図６は、レポート作成用端末１０において表示される読影レポート入力画面Ｇ２を例示する図である。読影レポート入力画面Ｇ２は、主に領域Ａ１〜Ａ１０によって構成される。
【０１０４】
領域Ａ１は、レポート入力対象検査に係る依頼事項の内容が表示される領域であり、例えば、レポート作成支援サーバ１００を介して診療情報ＤＢ２１０から取得した依頼事項に係る情報に基づき、図７で示すような依頼事項の内容が表示される。
【０１０５】
領域Ａ２は、レポート入力対象検査に係る検査の詳細な内容が表示される領域であり、例えば、レポート作成支援サーバ１００を介して診療情報ＤＢ２１０から取得した検査の詳細に係る情報に基づき、図８で示すような検査の詳細な内容が表示される。
【０１０６】
領域Ａ３，Ａ４は、読影医による操作部１３の操作に応じて、自由な意見やその他の情報が記述される領域である。但し、領域Ａ４には、例えば、パスワードの入力等によって閲覧が制限される秘匿性の高い個人情報が記述される。
【０１０７】
領域Ａ５は、読影レポートの作成を支援するために、支援情報ＤＢ５００内の第１〜第３関連情報５０１〜５０３から取得された一部の情報が可視的に提供される領域である。
【０１０８】
領域Ａ６は、読影レポートを構成する所見文が表示される領域であり、読影医による操作部１３の操作に応答して所見文が記入される。
【０１０９】
領域Ａ７は、所見文で頻繁に使用される定型句（頻出句）の一覧が表示される領域であり、例えば、図９で示すような頻出句の一覧が表示される。
【０１１０】
領域Ａ８は、所見文で頻繁に使用される定型文（サマリ句）の一覧が表示される領域であり、例えば、図１０で示すような定型文の一覧が表示される。
【０１１１】
領域Ａ９は、代表的な画像を添付する領域であり、読影医による操作部１３の操作に応じて、所望の代表的な画像が添付される。
【０１１２】
領域Ａ１０は、コマンドを入力するためのアイコン（ここでは、ボタンＢＴ１，ＢＴ２）が列挙される領域である。具体的には、ボタンＢＴ１は、読影レポート入力画面Ｇ２で作成した読影レポートを構成する所見文や添付画像の内容を確定して診療情報ＤＢ２１０に新規に登録し、次の読影レポートの作成に移行させるコマンドを入力するボタンである。ボタンＢＴ２は、読影レポート入力画面Ｇ２で作成した読影レポートを構成する所見文や添付画像の内容をクリアして、読影レポートの内容を作成し直すコマンドを入力するボタンである。
【０１１３】
次に、領域Ａ５に表示されるテンプレート表示を利用して所見文を入力する動作について説明する。
【０１１４】
領域Ａ５では、情報検索動作により、ユーザによって入力される検索ルールに対応する情報が第１〜３関連情報５０１〜５０３から取得され、適宜テンプレート表示の形態で可視的に出力される。そして、このテンプレート表示における要素（ここでは、語句）の選択肢が適宜指定されることで、所見文の入力が実行される。
【０１１５】
ここで、情報検索動作について説明する。
【０１１６】
＜情報検索動作＞
図１１は、情報検索動作に関し、主に情報検索部１４０で実現される機能構成を示すブロック図である。
【０１１７】
情報検索部１４０は、機能構成として、情報取得部１４１、保持制御部１４２、及び画面情報生成部１４４を備える。
【０１１８】
検索ルールは、レポート作成用端末１０の操作部１３からの入力に応じて決定され、情報取得部１４１に入力される。
【０１１９】
情報取得部１４１は、入力された検索ルールに基づいて、支援情報ＤＢ５００からデータを推論して一部の情報を取得する。この一部の情報の取得には、例えば、ＲＤＦや推論を用いるセマンティック・ウェブの技術を利用すれば良い。この情報取得部１４１では、支援情報ＤＢ５００から単に情報を取得するだけでなく、検索ルールに応じた情報（例えばノード間のアーク）の付加も適宜行う。
【０１２０】
保持制御部１４２は、情報取得部１４１によって取得された一部の情報（例えば、推論結果）をＲＡＭに一時的に保持（記憶）させる。この一部の情報は、要素間の関連を示す情報（一部関連情報）であり、ＲＡＭにおいて、１以上の一部関連情報が、保持情報ＰＤを構成する。なお、検索が繰り返されると、ＲＡＭには、検索結果の履歴を示す情報として、過去所定回分の検索に係る一部関連情報が保持情報ＰＤを構成して格納される。
【０１２１】
画面情報生成部１４４は、保持情報ＰＤに含まれる一部関連情報に基づき、検索ルールに対応する画面生成ルールに従って、結果表示画面データを生成する。この結果表示画面データは、ＲＡＭに履歴情報として保持されるとともに、レポート作成用端末１０に出力される。なお、検索が繰り返されると、ＲＡＭには、検索結果の履歴を示す情報として、過去所定回分の検索に係る結果表示画面データが保持情報ＤＤを構成して格納される。
【０１２２】
レポート作成用端末１０では、表示制御部１１ｃにより、画面情報生成部１４４からの結果表示画面データに基づき、表示部１４において結果表示画面が表示される。ユーザは、結果表示画面で、検索結果を認識することができる。
【０１２３】
また、ユーザは、検索結果を視認して、更なる検索や表示される項目の変更が必要と考えれば、その旨を示す情報を操作部１３を介して入力する。
【０１２４】
例えば、絞り込み検索や参考情報検索などといった更なる検索を行う場合には、次回すなわち第Ｎ回目（Ｎは２以上の整数）の検索ルール（以下「第Ｎ検索ルール」とも称する）が情報取得部１４１に入力される。そして、情報取得部１４１により、保持情報ＰＤに格納される直前に得られた一部関連情報（第Ｎ−１回目の一部関連情報）も利用されつつ、第Ｎ検索ルールに基づき、支援情報ＤＢ５００から一部の情報（第Ｎ回目の一部関連情報）が取得される。このとき、保持制御部１４２により、第Ｎ回目の一部関連情報（以下「第Ｎ一部関連情報」とも称する）が、ＲＡＭの保持情報ＰＤに格納される。更に、画面情報生成部１４４により、第Ｎ一部関連情報に基づき、第Ｎ検索ルールに対応する第Ｎ回目の画面生成ルール（以下「第Ｎ画面生成ルール」とも称する）に従って、第Ｎ回目の結果表示画面データ（以下「第Ｎ結果表示画面データ」とも称する）が生成される。そして、表示部１４において、第Ｎ結果表示画面データに基づく結果表示画面が表示される。
【０１２５】
以下、１回目の検索（初回検索）、２回目以降の検索（絞り込み検索、参考情報検索）、及び表示項目の増減について順次説明した後に、情報検索動作を含む入力支援動作の動作フローについて説明する。
【０１２６】
○初回検索：
図１２は、初回検索において第１関連情報５０１から所望の一部関連情報を取得するための検索ルール（より詳細には、検索条件）を決定するためのテンプレート表示（検索条件決定テンプレート表示）Ｔ１を例示する図である。
【０１２７】
上記検査特定動作によってレポート入力対象検査が特定されると、読影レポート入力画面Ｇ２（例えば図６）では、例えば、領域Ａ１に依頼事項の内容（例えば図７）が、領域Ａ２にレポート入力対象検査に係る検査の詳細な内容（例えば図８）が表示される。そして、情報検索部１４０の機能により、領域Ａ５に、検索条件決定テンプレート表示Ｔ１が提示される。
【０１２８】
検索条件決定テンプレート表示Ｔ１では、第１関連情報５０１における全属性項目のうちの一部の属性項目「カテゴリ」について、語句（選択肢）が列挙される。ここで列挙される属性項目「カテゴリ」に係る選択肢は、例えば、第１関連情報５０１のうち、検査特定動作でレポート入力対象検査の特定と同時に指定された項目「検査部位」に属する要素と項目「モダリティ」に属する要素との組合せと関連付けられた項目「カテゴリ」に属する要素となっている。
【０１２９】
例えば、検査特定動作で、項目「検査部位」に属する要素「ＣＨＥＳＴ」と項目「モダリティ」に属する要素「ＣＲ」との組合せが指定された場合、検索条件決定テンプレート表示Ｔ１では、図１２で示すように、項目「カテゴリ」に属する要素「肺」「軟部」「縦隔」「胸膜（辺縁）」「骨」「その他」が選択肢として列挙される。
【０１３０】
なお、検索条件決定テンプレート表示Ｔ１で列挙される項目「カテゴリ」に係る選択肢の情報は記憶部１０２等に予め記憶しておけば良く、例えば、項目「カテゴリ」に係る１以上の要素を２項目「検査部位」「モダリティ」にそれぞれ属する要素の組合せと対応させて記憶しておき、検査一覧画面Ｇ１で指定された２項目「検査部位」「モダリティ」にそれぞれ属する要素の組合せに応じた項目「カテゴリ」に属する選択肢の一覧が検索条件決定テンプレート表示Ｔ１に表示されるようにすれば良い。
【０１３１】
検索条件決定テンプレート表示Ｔ１では、読影医が操作部１３を種々操作し、マウスポインタＭＰを所望の選択肢に合わせて所定の操作（例えば、ダブルクリック）を行うと、項目「カテゴリ」に対して選択肢を指定することができる。そして、検査一覧画面（例えば図５）、及び検索条件決定テンプレート表示Ｔ１（例えば図１２）で決定される複数の項目と要素との組合せが検索条件として決定される。
【０１３２】
例えば、図１２で示す検索条件決定テンプレート表示Ｔ１で、項目「カテゴリ」に対して選択肢「胸膜」が指定された場合、項目「検査部位」に対して要素「ＣＨＥＳＴ」、項目「モダリティ」に対して要素「ＣＲ」、項目「カテゴリ」に対して要素「胸膜」が指定された検索条件が決定される。換言すれば、初回の検索ルール（以下「第１検索ルール」とも称する）が、第１関連情報５０１に含まれた１以上の要素（ここでは３項目に属する要素）を示す情報（ノード）を含む。
【０１３３】
このとき、例えば、第１関連情報５０１から検索条件に合致する一部の情報を取得して、所定の項目に属する要素とその関連を示す情報とを抽出して所定の項目順で提示するといった第１検索ルールが入力される。
【０１３４】
この第１検索ルールは、端末制御部１１によりレポート作成用端末１０から情報検索部１４０（具体的には、情報取得部１４１）と設定ファイル認識部１４５とに与えられる。このとき、設定ファイル認識部１４５において、第１検索ルールに対応する設定ファイルの認識、及び採用が行われる。
【０１３５】
情報取得部１４１では、第１検索ルールの入力に応答して、検索条件を満たす（すなわち合致する要素の組合せを有する）単レポート構造化データを第１関連情報５０１から取得して収集する。このとき、収集された単レポート構造化データは、サーバ制御部１０１のＲＡＭ内に格納される。そして、情報取得部１４１により、ＲＡＭ内に格納された各単レポート構造化データを処理対象として、第１検索ルールで特定される提示対象にあたる所定の項目に属する要素（ノード）が所定の項目順で新規なアークによって関連付けられる。
【０１３６】
具体的には、例えば、所定の項目が４項目「撮影条件」「部位」「基本所見」「診断」である場合には、図３で示した単レポート構造化データに対し、図１３で示すように、新規なアーク（図中の太線矢印）により、４項目「撮影条件」「部位」「基本所見」「診断」に係るノードＮ１５，Ｎ１６，Ｎ１８，Ｎ２０がこの順番で関連付けられる。この新規なアークにより、結果表示画面において表示される項目の順番が示される。
【０１３７】
このとき、保持制御部１４２により、図１３で示したように新規なアークが付加された１以上の単レポート構造化データの集合が１回目の一部関連情報（以下「第１一部関連情報」とも称する）としてＲＡＭに記憶される。なお、ＲＡＭに記憶される第１一部関連情報により、ＲＡＭ内に保持情報ＰＤが構築される。このようにして、第１関連情報５０１から第１検索ルールに対応する第１一部関連情報が取得される。そして、画面情報生成部１４４により、第１画面生成ルールに従った結果表示画面データ（初回検索結果表示画面データ）が生成され、ＲＡＭに記憶される。なお、ＲＡＭに記憶される初回検索結果表示画面データにより、ＲＡＭ内に保持情報ＤＤが構築される。
【０１３８】
この初回検索結果表示画面データは、第１一部関連情報を構成する全ての単レポート構造化データのうち、表示順を示すアークによって関連付けられた要素が、項目毎に並べられ、表示順を示すアークに応じて相互に関連付け直された情報を含む。なお、重複して出現する要素（ノード）は、１つにまとめられる。
【０１３９】
より詳細には、この初回検索結果表示画面データは、複数の項目に含まれる項目毎に１以上（ここでは複数）の属性値（ここでは、語句）が列挙されるとともに、項目間で、属性値どうしがネットワーク状に関連付けられた情報（ネットワーク情報）を含む。なお、この初回検索結果表示画面データは、表示制御部１１ｃの制御により、表示部１４において結果表示画面として可視的に出力される。この結果表示画面は、ネットワーク情報の一覧表示が可視的に出力され、ネットワーク情報の一覧表示に含まれる各項目に属する要素（例えば語句）が、読影レポートを構成する要素（レポート構成要素）として指定可能な選択肢として提示されたテンプレート表示（以下「入力支援テンプレート表示」とも称する）の形態を有する。
【０１４０】
ここで、初回検索で提示される入力支援テンプレート表示について説明する。
【０１４１】
図１４は、初回検索で提示される入力支援テンプレート表示Ｔ２を例示する図である。なお、後述する入力支援テンプレート表示Ｔ２における各種入力及び指定は、ユーザである読影医による操作部１３における操作に応答して入力される信号に基づいて行われる。
【０１４２】
図１４で示すように、入力支援テンプレート表示Ｔ２では、最上部において、複数の項目（ここでは４項目「撮影条件」「部位」「基本所見」「診断」）をそれぞれ可視的に示す複数の表示要素（項目表示要素）が左方から右方に向かって空間順次に並べられる。また、その項目表示要素の下に、左から順に、項目「撮影条件」「部位」「基本所見」「診断」に属する要素を可視的に示す表示要素として複数の語句Ｆ１〜Ｆ４が列挙される。
【０１４３】
具体的には、属性項目「撮影条件」について、複数の語句（「Ｔ１」「Ｔ２ＦＬＡＩＲ」「Ｔ１」）Ｆ１が、属性項目「部位」について、複数の語句（「視床」・・・「被核」）Ｆ２が、属性項目「基本所見」について、複数の語句（「低信号域」「高信号域」）Ｆ３が、属性項目「診断」について、複数の語句（「ラクナ梗塞」「陳旧性脳梗塞」「脳梗塞」）Ｆ４が列挙される。
【０１４４】
より詳細には、複数の語句Ｆ１が従属先の項目を示す項目表示要素「撮影条件」の下に上下方向に沿って並べられ、複数の語句Ｆ２が従属先の項目を示す項目表示要素「部位」の下に上下方向に沿って並べられ、複数の語句Ｆ３が従属先の項目を示す項目表示要素「基本所見」の下に上下方向に沿って並べられ、複数の語句Ｆ４が従属先の項目を示す項目表示要素「診断」の下に上下方向に沿って並べられる。
【０１４５】
また、入力支援テンプレート表示Ｔ２で列挙される要素に対しては、相互に隣り合う順序の各項目間で、ネットワーク情報で関連付けられる要素間の関連が可視的に認識可能な要素（関連表示要素）として付与される。具体的には、４項目「撮影条件」「部位」「基本所見」「診断」については、ネットワーク情報に基づき、各項目間で、相互に関連付けられた語句どうしが関連表示要素（ここでは実線）によって結ばれた状態で表示される。つまり、各項目間で１以上（ここでは複数）の要素が実線でネットワーク状に結びつけられる。
【０１４６】
入力支援テンプレート表示Ｔ２では、第１関連情報５０１のうち、項目と要素とが絞り込まれたネットワーク情報の一覧表示ＮＶが表示される。よって、ユーザは過去の知識を容易に把握可能な一覧表示ＮＶを参照しつつ、読影レポートを作成することができる。
【０１４７】
また、入力支援テンプレート表示Ｔ２では、４項目「撮影条件」「部位」「基本所見」「診断」の各項目に対し、各複数の語句Ｆ１〜Ｆ４から１つの語句にマウスポインタＭＰを合わせて左クリックすることで、新規な読影レポートの所見文を構成する各項目に対応する語句を指定することができる。このとき、ユーザは、入力支援テンプレート表示Ｔ２の下部に表示される読影レポートの所見文の文章モデルＭＤを参照する。この文章モデルＭＤに係る情報は、例えば、教師データ等と併せて外部から与えられる。
【０１４８】
この文章モデルＭＤは、「［空白欄Ｗ１］画像で［空白欄Ｗ２］にて［空白欄Ｗ３］を認め、［空白欄Ｗ４］を疑う。」といった読影レポートの所見文のモデルを示す。そして、空白欄Ｗ１〜Ｗ４には、４つの項目「撮影条件」「部位」「基本所見」「診断」に係る要素（文章を構成する要素、以下「文章構成要素」とも称する）である語句がそれぞれ当てはまる。
【０１４９】
つまり、ユーザによる語句の指定により、複数の語句Ｆ１のうちの１つの語句（例えば「Ｔ２」）が空白欄Ｗ１に充当され、複数の語句Ｆ２のうちの１つの語句（例えば「側頭葉」）が空白欄Ｗ２に充当され、複数の語句Ｆ３のうちの１つの語句（例えば「高信号域」）が空白欄Ｗ３に充当され、複数の語句Ｆ４のうちの１つの語句（例えば「ラクナ梗塞」）が空白欄Ｗ４に充当される。
【０１５０】
なお、図１５では、４項目「撮影条件」「部位」「基本所見」「診断」に対し、４つの語句「Ｔ２」「側頭葉」「高信号域」「ラクナ梗塞」が指定され、指定された語句を示す表示要素の濃淡が反転された入力支援テンプレート表示Ｔ２が示されている。このとき、文章モデルＭＤ、及び空白欄Ｗ１〜Ｗ４に充当された語句に基づく所見文が生成され、領域Ａ６に表示される。この状態で、マウスが適宜操作され、マウスポインタＭＰによってクリアボタンＣＢが押下されると、語句の指定が解除され、空白欄Ｗ１〜Ｗ４に充当された語句が消去されるとともに、領域Ａ６に表示された所見文も消去される。また、マウスが適宜操作され、マウスポインタＭＰによって戻るボタンＲＢが押下されると、直前に表示されていた画面（直前の画面）に戻ることを要求するコマンドが入力され、領域Ａ５に表示される画面が、直前に表示されていた画面（ここでは検索条件決定テンプレート表示Ｔ１）に戻る。
【０１５１】
また、図１６で示すように、入力支援テンプレート表示Ｔ２では、一覧表示ＮＶの近傍にマウスポインタＭＰを配置した状態で、ユーザによる動作、具体的には操作部１３に含まれるマウスの右ボタンの押下（右クリック）に応答して、更なる検索を要求することができるコマンドリストＣＬが出現する。
【０１５２】
コマンドリストＣＬには、３つのアイコン「絞り込み」「参考情報」「項目増減」が提示され、マウスポインタＭＰを所望のアイコンに合わせて左クリックを行うことで、所望のアイコンを指定して、所望のコマンドを入力することができる。具体的には、アイコン「絞り込み」が指定されると、絞り込み検索を要求するコマンドが入力され、アイコン「参考情報」が指定されると、参考情報検索を要求するコマンドが入力され、アイコン「項目増減」が指定されると、提示される項目の増減を要求するコマンドが入力される。
【０１５３】
○絞り込み検索：
図１４で示す入力支援テンプレート表示Ｔ２では、表示される要素（ここでは語句）が絞られているが、ユーザが、まだ表示されている要素が多く、要素間の関連も分かり難いと感じる場合もある。そこで、この入力支援動作では、表示される要素を絞り込む検索（絞り込み検索）が可能となっている。
【０１５４】
図１４で示すように、複数の語句Ｆ１〜Ｆ４を示す表示要素には、各語句の左方にチェックボックスが設けてある。そして、ユーザは、マウスポインタＭＰを所望の表示要素のチェックボックスに合わせて左クリックをすることで、図１６で示すように、所望の表示要素のチェックボックスにチェックマークを付与することができる。
【０１５５】
図１６で示すように、適宜チェックボックスにチェックマークが付された状態で、コマンドリストＣＬを出現させ、アイコン「絞り込み」を指定すると、絞り込み検索が要求される。この要求に対し、入力支援テンプレート表示Ｔ２が、図１７で示すように、要素が更に絞り込まれた入力支援テンプレート表示Ｔ２ａとなる。
【０１５６】
ここでは、操作部１３からの入力に応じて、チェックボックスにチェックマークが付された要素（ここでは語句）と、絞り込み検索の要求とが画面情報生成部１４４に与えられる。次に、画面情報生成部１４４が、保持情報ＰＤに格納される第１一部関連情報を参照しつつ、チェックボックスにチェックマークが付された要素に限定されたネットワーク情報を含む結果表示画面データ（絞り込み検索結果表示画面データ）が生成される。このとき、絞り込み検索結果表示画面データは、保持情報ＤＤ内に格納される。そして、表示制御部１１ｃの制御により、新たに生成された絞り込み検索結果表示画面データに基づき、表示部１４において結果表示画面として可視的に出力される。
【０１５７】
この結果表示画面は、ネットワーク情報の一覧表示が可視的に出力され、ネットワーク情報の一覧表示ＮＶ１に含まれる各項目に属する要素（ここでは語句）が、レポート構成要素として指定可能な選択肢として提示された入力支援テンプレート表示Ｔ２ａとなる。
【０１５８】
この入力支援テンプレート表示Ｔ２ａでは、絞り込み検索により、各項目に対応して列挙される複数の要素Ｆ１〜Ｆ４が、更に絞り込まれて数が低減された１以上の語句Ｆ１ａ〜Ｆ４ａとなる。このため、ユーザは、過去の知識を更に容易に把握可能な一覧表示ＮＶ１を参照しつつ、読影レポートを作成することができる。
【０１５９】
○参考情報検索：
図１４で示す入力支援テンプレート表示Ｔ２では、適宜要素（ここでは語句）をレポート構成要素として指定することができるが、要素の指定に迷う場合があり得る。例えば、項目「診断」に関しては、他の検査の結果や病状の進行等により、読影医による診断と、担当医による最終的な診断（確定診断）とが異なる場合も有り得るため、適正な要素を指定するのが難しい。そこで、この入力支援動作では、過去の読影レポート以外の医療に関する情報から、状況に即した参考情報を取得して提示する検索（参考情報検索）が可能となっている。
【０１６０】
図１６で示したコマンドリストＣＬにおいて、マウスポインタＭＰによってアイコン「参考情報」を指定すると、参考情報検索が要求される。この要求に対し、図１８で示すように、参考情報検索の詳細な内容を示すコマンドリストＬｓが、一覧表示ＮＶの近傍に出現する。
【０１６１】
コマンドリストＬｓには、複数のアイコン「確定診断の情報を参照」「血圧の情報を参照」・・・が提示され、マウスポインタＭＰを所望のアイコンに合わせて左クリックを行うことで、所望のアイコンを指定して、所望のコマンドを入力することができる。具体的には、アイコン「確定診断の情報を参照」が指定されると、状況に即した確定診断の情報を取得して提示する検索処理を要求するコマンドが入力され、アイコン「血圧の情報を参照」が指定されると、状況に即した血圧の情報を取得して提示する検索処理を要求するコマンドが入力される。
【０１６２】
ここで、確定診断の情報を参照する具体例を挙げて説明する。
【０１６３】
図１８で示すように、ユーザが、操作部１３を適宜操作して、一覧表示ＮＶでレポート構成要素として指定しようと考えている要素（ここでは語句）の左方のチェックボックスにチェックマークを付して、アイコン「確定診断の情報を参照」を指定すると、チェックマークが付された要素の組合せを検索条件として、第２関連情報５０２から確定診断の情報を取得して提示する検索処理が行われる。なお、このとき、図１５で示したように、全項目に対して、それぞれレポート構成要素を指定しておいても良い。
【０１６４】
この検索条件は、例えば、項目「撮影条件」に対して要素「Ｔ２」、項目「部位」に対して要素「側頭葉」、項目「基本所見」に対して要素「高信号域」、及び項目「診断」に対して要素「ラクナ梗塞」といったものである。
【０１６５】
したがって、ユーザの動作に応答して、例えば、第２関連情報５０２から検索条件に合致する一部の情報を取得するとともに、所定の項目に属する要素とその関連を示す情報を抽出して所定の項目順で提示するといった旨を示す複数回目（ここでは２回目）の検索ルール（以下「第２検索ルール」とも称する）が情報取得部１４１に入力される。
【０１６６】
情報取得部１４１は、第２検索ルールの入力に応答して、検索条件を満たす（すなわち合致する要素の組合せを有する）単レポート構造化データを第２関連情報５０２から取得して収集する。収集された単レポート構造化データは、２回目の一部関連情報（以下「第２一部関連情報」とも称する）としてＲＡＭに記憶される。
【０１６７】
更に、情報取得部１４１により、第２検索ルールで示された検索条件に含まれる１以上の要素が基準（起点）とされ、第１一部関連情報に対して第２一部関連情報が連結されて、新規な一部関連情報（以下「連結後一部関連情報」とも称する）が生成される。ここでは、第１一部関連情報を構成する単レポート構造化データと、第２一部関連情報を構成する単レポート構造化データとが、共通する要素（ノード）が重畳するように連結される。
【０１６８】
例えば、第１一部関連情報を構成する単レポート構造化データのうち、第２検索ルールに応じて、検索条件に含まれる項目「診断」に属する要素「ラクナ梗塞」が起点とされ、第２一部関連情報を構成する単レポート構造化データが連結される。より詳細には、第１一部関連情報を構成する単レポート構造化データの項目「診断」に係るノード「ラクナ梗塞」に対して、第２一部関連情報を構成する単レポート構造化データのうち、項目「診断」に係るノード「ラクナ梗塞」を起点とした要素と関連付けとを示すアークとノードとが連結される。
【０１６９】
なお、例えば、第１一部関連情報を構成する単レポート構造化データがｎ個あり、第２一部関連情報を構成する単レポート構造化データがｍ個ある場合には、第１一部関連情報を構成する各単レポート構造化データに対して、第２一部関連情報を構成するｍ個の単レポート構造化データがそれぞれ連結される。
【０１７０】
また、第１及び第２一部関連情報が連結されるとともに、情報取得部１４１により、図１３で示したものと同様な態様で、第２検索ルールで特定される提示対象である所定の項目に属する要素（ノード）が所定の項目順で新規なアークによって関連付けられることで、連結後一部関連情報が生成される。
【０１７１】
そして、保持制御部１４２により、連結後一部関連情報がＲＡＭ内の保持情報ＰＤに記憶される。このようにして、第２関連情報５０２から第２検索ルールに対応する第２一部関連情報が取得される。
【０１７２】
その後、画面情報生成部１４４により、取得された連結後一部関連情報に基づき、第２検索ルールに対応する画面生成ルール（第２画面生成ルール）に従った結果表示画面データ（参考情報検索結果表示画面データ）が生成され、ＲＡＭの保持情報ＤＤ内に記憶される。
【０１７３】
この参考情報検索結果表示画面データは、連結後一部関連情報のうち、表示順を示すアークによって関連付けられた要素が、項目毎に並べられ、表示順を示すアークに応じて相互に関連付け直された情報を含む。なお、重複して出現する要素（ノード）は、１つにまとめられる。より詳細には、この参考情報検索結果表示画面データは、複数の項目に含まれる項目毎に１以上の属性値が列挙されるとともに、項目間で、属性値どうしがネットワーク状に関連付けられた情報（ネットワーク情報）を含む。
【０１７４】
そして、表示制御部１１ｃの制御により、参考情報検索結果表示画面データに基づき、表示部１４において結果表示画面が可視的に出力される。この結果表示画面は、入力支援テンプレート表示Ｔ２のうち、一覧表示ＮＶ１が、連結後一部関連情報に基づいて新たに生成されたネットワーク情報の一覧表示ＮＶ２に変更された入力支援テンプレート表示である。
【０１７５】
ここで、参考情報検索で提示される結果表示画面（「入力支援テンプレート表示」とも称する）Ｔ２ｂについて説明する。
【０１７６】
図１９は、参考情報検索で提示される結果表示画面Ｔ２ｂを例示する図である。なお、図１９で示す結果表示画面Ｔ２ｂは、図１５で示したように、一覧表示ＮＶの全項目に対してレポート構成要素（ここでは語句）を指定しておいた場合に表示されるものである。
【０１７７】
図１９で示すように、結果表示画面Ｔ２ｂでは、最上部において、複数の項目（ここでは４項目「診断」「読影医師」「画像」「確定診断」）をそれぞれ可視的に示す複数の表示要素（項目表示要素）が左方から右方に向かって空間順次に並べられる。また、その項目表示要素の下に、左から順に、項目「診断」「読影医師」「画像」「確定診断」に属する要素を可視的に示す１以上の表示要素（ここでは、語句や画像）ｆ１〜ｆ４が列挙される。
【０１７８】
具体的には、属性項目「診断」について、検索条件に含まれた要素「ラクナ梗塞」ｆ１が、属性項目「読影医師」について、複数の語句（「鈴木太郎」「高橋花子」）ｆ２が、属性項目「画像」について、複数の要素として３枚の画像ｆ３が、属性項目「確定診断」について、複数の語句（「ラクナ梗塞」「梗塞」「陳旧性脳梗塞」）ｆ４が列挙される。
【０１７９】
より詳細には、要素ｆ１が従属先の項目を示す項目表示要素「診断」の下に提示され、複数の語句ｆ２が従属先の項目を示す項目表示要素「読影医師」の下に上下方向に沿って並べられ、複数の画像ｆ３が従属先の項目を示す項目表示要素「画像」の下に上下方向に沿って並べられ、複数の語句ｆ４が従属先の項目を示す項目表示要素「確定診断」の下に上下方向に沿って並べられる。
【０１８０】
また、結果表示画面Ｔ２ｂで列挙される要素に対しては、相互に隣り合う順序の各項目間で、ネットワーク情報で関連付けられる要素間の関連が可視的に認識可能な要素（関連表示要素）として付与される。具体的には、４項目「診断」「読影医師」「画像」「確定診断」については、ネットワーク情報に基づき、各項目間で、相互に関連付けられた要素どうしが関連表示要素（ここでは実線）によって結ばれた状態で表示される。つまり、各項目間で各項目に属する１以上の要素が実線でネットワーク状に結びつけられる。
【０１８１】
このように、結果表示画面Ｔ２ｂでは、第１関連情報５０１から取得された情報に対して、更に他の第２関連情報５０２から取得された情報が付加されたネットワーク情報の一覧表示ＮＶ２が表示される。よって、ユーザは、あるデータの集合から得られた検索結果に含まれたある要素に関連する他の情報を、検索結果を利用しつつ、他のデータの集合から得ることができる。例えば、一方のデータの集合で示された読影医による診断と、他方のデータの集合で示された担当医による確定診断との関係を把握することができる。したがって、ユーザである読影医が、状況に即した確定診断を参照しつつ、診断を決定して、所見文を作成することで、所見文の内容がより状況に即した適切なものなる。
【０１８２】
また、図１９で示す結果表示画面Ｔ２ｂでは、項目「確定診断」に属する複数の語句ｆ４から所望の語句にマウスポインタＭＰを合わせて左クリックをすることで、空白欄Ｗ４に充当された語句を項目「確定診断」に属する所望の語句に変更することができる。この語句の変更に応じて、領域Ａ６に表示された所見文も変更される。なお、マウスが適宜操作され、マウスポインタＭＰによってクリアボタンＣＢが押下されると、語句の指定が解除され、空白欄Ｗ１〜Ｗ４に充当された語句が消去されるとともに、領域Ａ６に表示された所見文も消去される。また、マウスが適宜操作され、マウスポインタＭＰによって戻るボタンＲＢが押下されると、直前の画面に戻ることを要求するコマンドが入力される。そして、表示制御部１１ｃの制御下で、保持情報ＤＤに保持されている結果表示画面データに基づき、領域Ａ５に表示される画面が、直前に表示されていた画面（ここでは入力支援テンプレート表示Ｔ２）となる。
【０１８３】
以上では、確定診断の情報を参照する具体例を挙げて説明したが、例えば、血圧の情報を参照する場合には、図２０で示すような結果表示画面Ｔ２ｃが領域Ａ５に提示される。なお、結果表示画面Ｔ２ｃでは、４項目「診断」「測定者（看護師）」「画像」「血圧」に対して、１以上の要素ｆ１，ｆ１２〜ｆ１４が提示される。この結果表示画面Ｔ２ｃを参照することで、ユーザである読影医は、結果表示画面Ｔ２ｃを参照しつつ、過去のデータで示される血圧と現在の血圧とを比較して、診断の妥当性等を判断することができる。
【０１８４】
○表示項目の増減：
図１４で示す入力支援テンプレート表示Ｔ２では、適宜要素（ここでは語句）をレポート構成要素として指定することができるが、一覧表示ＮＶでは示されていない項目（例えば「性別」）に属する要素（例えば「男性」「女性」）も考慮して、レポート構成要素を指定したい場合もあり得る。そこで、この入力支援動作では、入力支援テンプレート表示において提示される項目数を適宜増減させることができる。
【０１８５】
図１６で示したコマンドリストＣＬにおいて、マウスポインタＭＰによってアイコン「項目増減」を指定すると、項目の増減が要求される。この要求に対し、図２１で示すような表示項目を指定するリスト（表示項目リスト）ＦＬが、領域Ａ５に表示される。
【０１８６】
図２１で示すように、表示項目リストＦＬでは、結果表示画面において提示対象となり得る項目（ここでは「患者ＩＤ」「モダリティ」「検査部位」「性別」「年齢」「撮影条件」「部位」「基本所見」「診断」）が列挙される。そして、各項目の左方にはチェックボックスが配置され、マウスポインタＭＰを所望の項目の左方に配置されたチェックボックスに合わせて左クリックをすることで、各チェックボックスの色を黒と白の間で切り換えることができる。
【０１８７】
例えば、結果表示画面で提示対象としたい項目のチェックボックスを黒色として、ＯＫボタンがマウスポインタＭＰで押下されると、黒色のチェックボックスに係る項目が提示対象の項目として指定される。そして、提示対象の項目の増減に伴って、画面生成ルールが切り替えられて、入力支援テンプレート表示Ｔ２に含まれる一覧表示が変更される。また、CancelボタンがマウスポインタＭＰで押下されると、表示制御部１１ｃの制御下で、保持情報ＤＤに保持されている結果表示画面データに基づき、領域Ａ５で表示される画面が、元の画面、例えば図１４で示す入力支援テンプレート表示Ｔ２となる。
【０１８８】
なお、所見文の入力に必須の項目については、チェックボックスが白色には変更されないように設定されていても良く、例えば、図２１(ａ)で示すように、４項目「撮影条件」「部位」「基本所見」「診断」については、チェックボックスが白色に変更されないような態様が考えられる。また、図２１(ｂ)で示すように、項目「性別」の左方のチェックボックスを黒色として、ＯＫボタンがマウスポインタＭＰで押下されると、４項目「撮影条件」「部位」「基本所見」「診断」に項目「性別」が加えられた５項目について、結果表示画面が表示される。
【０１８９】
以下、表示対象の項目が、４項目「撮影条件」「部位」「基本所見」「診断」から項目「性別」が加えられた５項目に変更された具体例を挙げて説明する。
【０１９０】
表示対象の項目が、４項目「撮影条件」「部位」「基本所見」「診断」から項目「性別」が加えられた５項目に変更されると、情報取得部１４１によって、図１３で示したような第１一部関連情報に含まれる単レポート構造化データに対し、図２２で示すように、新規なアーク（図中の太線矢印）により、項目「性別」に係るノードＮ１と項目「撮影条件」に係るノードＮ１５が関連付けられる。具体的には、図２２で示すように、５項目「性別」「撮影条件」「部位」「基本所見」「診断」に係るノードＮ１，Ｎ１５，Ｎ１６，Ｎ１８，Ｎ２０がこの順番で関連付けられる。このアークにより、結果表示画面において表示される項目の種類と表示順が示される。
【０１９１】
このとき、保持制御部１４２により、図２２で示したように新規なアークが付加された１以上の単レポート構造化データの集合が、表示項目増加後の一部関連情報（項目増加一部関連情報）としてＲＡＭ内の保持情報ＰＤに記憶される。そして、画面情報生成部１４４により、変更後の画面生成ルールに従った結果表示画面データ（項目増加結果表示画面データ）が生成され、ＲＡＭ内の保持情報ＤＤに記憶される。
【０１９２】
この項目増加結果表示画面データは、項目増加一部関連情報を構成する全ての単レポート構造化データのうち、表示順を示すアークによって関連付けられた要素が、項目毎に並べられ、表示順を示すアークに応じて相互に関連付け直された情報を含む。なお、重複して出現する要素（ノード）は、１つにまとめられる。なお、この項目増加結果表示画面データを生成する際に、図１６で示すように、適宜チェックボックスにチェックマークを付しておくと、上述した絞り込み検索も同時に行われる。
【０１９３】
ここで、項目増加結果表示画面データに基づき、項目の増加によって提示される入力支援テンプレート表示Ｔ２ｄについて説明する。
【０１９４】
図２３は、項目の増加後に提示される入力支援テンプレート表示Ｔ２ｄを例示する図である。
【０１９５】
この入力支援テンプレート表示Ｔ２ｄでは、最上部に、複数の項目（ここでは５項目「性別」「撮影条件」「部位」「基本所見」「診断」）をそれぞれ可視的に示す複数の表示要素（項目表示要素）が左方から右方に向かって空間順次に並べられる。また、その項目表示要素の下に、左から順に、項目「性別」「撮影条件」「部位」「基本所見」「診断」に属する要素を可視的に示す表示要素として１以上の語句Ｆ１０〜Ｆ１４が列挙される。なお、入力支援テンプレート表示Ｔ２ｄの下部に提示される文章モデルＭＤは、図１６等で示された入力支援テンプレート表示Ｔ２と同様なものである。
【０１９６】
そして、入力支援テンプレート表示Ｔ２ｄでも、各項目間で各項目に属する１以上の要素が関連表示要素（ここでは実線）によってネットワーク状に関連付けられた一覧表示ＮＶ３が提示される。
【０１９７】
なお、入力支援テンプレート表示Ｔ２ｄでは、性別についての情報も考慮しつつ、入力支援テンプレート表示Ｔ２と同様に、４項目「撮影条件」「部位」「所見所見」「診断」の各項目に対し、各１以上の語句Ｆ１１〜Ｆ１４から１つの語句にマウスポインタＭＰを合わせて左クリックすることで、新規な読影レポートの所見文を構成する各項目に対応する語句を指定することができる。
【０１９８】
そして、ユーザによる語句の指定により、各空白欄Ｗ１〜Ｗ４に指定された語句が充当される。このとき、文章モデルＭＤ、及び空白欄Ｗ１〜Ｗ４に充当された語句に基づく所見文が生成され、領域Ａ６に表示される。また、この状態で、マウスが適宜操作され、マウスポインタＭＰによってクリアボタンＣＢが押下されると、語句の指定が解除され、空白欄Ｗ１〜Ｗ４に充当された語句が消去されるとともに、領域Ａ６に表示された所見文も消去される。また、マウスが適宜操作され、マウスポインタＭＰによって戻るボタンＲＢが押下されると、直前の画面に戻ることを要求するコマンドが入力される。そして、表示制御部１１ｃの制御下で、保持情報ＤＤに保持されている結果表示画面データに基づき、領域Ａ５に表示される画面が、直前に表示されていた画面（ここでは入力支援テンプレート表示Ｔ２）となる。
【０１９９】
○入力支援動作の動作フロー：
図２４から図２６は、入力支援動作の動作フローを示すフローチャートである。本動作フローは、サーバ制御部１０１が記憶部１０２に格納されたプログラムＰＧ１を読み込んで実行するとともに、端末制御部１１が記憶部１２に格納されたプログラムＰＧ２を読み込んで実行することで実現される。つまり、サーバ制御部１０１及び端末制御部１１が協働することにより実現される。
【０２００】
ここでは、レポート作成用端末１０の操作部１３において所定の操作が行われると、入力支援動作が開始され、図２４のステップＳ１１に進む。
【０２０１】
ステップＳ１１では、表示部１４に検査一覧画面（例えば図５の検査一覧画面Ｇ１）が表示される。
【０２０２】
ステップＳ１２では、検査一覧画面Ｇ１においてレポート入力対象検査が選択されたか否か判定される。ここでは、レポート入力対象検査が選択されるまでステップＳ１２の判定が繰り返され、レポート入力対象検査が選択されるとステップＳ１３に進む。
【０２０３】
ステップＳ１３では、読影レポート入力画面Ｇ２が表示される。このとき、読影レポート入力画面Ｇ２の領域Ａ５には、検索条件決定テンプレート表示が提示される。ここで提示される検索条件決定テンプレート表示は、例えば図１２で示したような検索条件決定テンプレート表示Ｔ１であり、レポート入力対象検査に係る項目「検査部位」の要素と項目「モダリティ」の要素の組合せに対応する項目「カテゴリ」に属する要素が列挙された画面である。
【０２０４】
ステップＳ１４では、検索条件決定テンプレート表示において項目「カテゴリ」に係る要素が選択されたか否かが判定される。ここでは、項目「カテゴリ」に係る要素が選択されるまでステップＳ１４の判定が繰り返され、項目「カテゴリ」に係る要素が選択されるとステップＳ１５に進む。このとき、項目「カテゴリ」に係る要素が選択されることで、検索条件を含む検索ルールが決定される。
【０２０５】
ステップＳ１５では、検索ルールの決定に応答して、情報取得部１４１に検索ルールが入力される。
【０２０６】
ステップＳ１６では、情報取得部１４１により、ステップＳ１５で入力された検索ルールに対応する一部関連情報が支援情報ＤＢ５００から取得され、保持制御部１４２により、ＲＡＭ内に記憶される。このとき、例えば、第１関連情報５０１から検索ルールに対応する一部関連情報（第１一部関連情報）が取得され、ＲＡＭ内に第１一部関連情報が格納されて保持情報ＰＤが構築される。また、設定ファイル認識部１４５により、検索ルールに対応する画面生成ルールが認識される。
【０２０７】
ステップＳ１７では、画面情報生成部１４４により、ステップＳ１６で保持情報ＰＤ内に記憶された第１一部関連情報に基づき、画面生成ルールに従って、結果表示画面データ（初回検索結果表示画面データ）が生成され、ＲＡＭ内に記憶される。このとき、例えば、ＲＡＭに初回検索結果表示画面データが格納されて保持情報ＤＤが構築される。
【０２０８】
ステップＳ１８では、表示制御部１１ｃにより、ステップＳ１７で保持情報ＤＤ内に記憶された初回検索結果表示画面データに基づき、表示部１４において結果表示画面が提示され、図２５のステップＳ２０に進む。この結果表示画面では、複数の項目に含まれる項目毎に１以上の要素が列挙されるとともに、項目間で、各項目に属する１以上の要素どうしがネットワーク状に関連付けられたネットワーク情報が可視的に出力された一覧表示を含む入力支援テンプレート（例えば図１４の入力支援テンプレート表示Ｔ２）が領域Ａ５に提示される。
【０２０９】
ステップＳ２０では、操作部１３により、入力支援テンプレート表示において各項目について要素が指定され、その他の情報が入力される。例えば、読影医による操作部１３の操作入力により各項目に対してそれぞれ要素（ここでは語句）が指定されると、領域Ａ６に文章モデルＭＤに従った所見文が表示される。また、入力支援テンプレート表示において「絞り込み検索」や「参考情報検索」や「項目の増減」や「直前の画面に戻ること」等を要求するコマンドが指定され、その情報が入力される。
【０２１０】
ステップＳ２１では、直前の画面に戻るか否か判定される。ここで、ステップＳ２０で直前の画面に戻ることを要求するコマンドが入力されれば、表示制御部１１ｃにより、直前の画面に戻る。具体的には、保持情報ＤＤ内に格納された結果表示画面データに基づき、直前の画面が表示部１４に表示される。より詳細には、直前の画面に応じて、ステップＳ１３，Ｓ１８，Ｓ２６，Ｓ３３，Ｓ４６のうちの何れか１つのステップに進む。一方、ステップＳ２０で直前の画面に戻ることを要求するコマンドが入力されなければ、ステップＳ２２に進む。
【０２１１】
ステップＳ２２では、レポート構成部１５０により、所見文を登録する指示（登録指示）があったか否か判定される。ここで、読影レポート入力画面Ｇ２でボタンＢＴ１が押下されて、登録指示がなされると、ステップＳ２３に進み、登録指示がなされなければ、ステップＳ２４に進む。
【０２１２】
ステップＳ２３では、読影レポート入力画面Ｇ２で作成された読影レポートを構成する所見文や添付画像の内容が確定され、レポート構成部１５０により新規な読影レポートが生成され、データ書込部１６０により診療情報ＤＢ２１０に登録される。このとき、端末制御部１１の制御下で、文章モデルＭＤの空白欄Ｗ１〜Ｗ４に充当された要素（ここでは語句）と、検索条件を構成する要素（ここでは語句）と、入力対象である読影レポートに係る患者属性、及び検査属性を構成する要素とが、新規なノードとして、患者名を示すノードＮ０に対して直接的または間接的に関連付けられて、新規な単レポート構造化情報が生成される。そして、この新規な単レポート構造化情報が、入出力部１１ａを介して、支援情報ＤＢ５００（具体的には、第１関連情報５０１）に追加される。なお、支援情報ＤＢ５００のデータ内容の更新は、データ構築部１３０の機能により、診療情報ＤＢ２１０に登録された新規な所見文の情報に基づいて行われても良い。そして、このステップＳ２３の処理が行われると、本動作フローが終了する。
【０２１３】
ステップＳ２４では、情報検索部１４０により、絞り込みが要求されたか否か判定される。ここで、ステップＳ２０で「絞り込み検索」を要求するコマンドが入力されれば、その旨を示す要求が画面情報生成部１４４に入力されて、ステップＳ２５に進む。一方、絞り込みが要求されていなければ、ステップＳ２７に進む。
【０２１４】
ステップＳ２５では、画面情報生成部１４４により、入力支援テンプレート表示で指定された要素（指定要素）に対応する結果表示画面データが生成され、ＲＡＭ内に記憶される。例えば、図１６で示した入力支援テンプレート表示Ｔ２でチェックマークが付されて指定された要素（指定要素）に限定されたネットワーク情報を含む結果表示画面データが生成され、ＲＡＭの保持情報ＤＤ内に記憶される。
【０２１５】
ステップＳ２６では、表示制御部１１ｃにより、ステップＳ２５で保持情報ＤＤ内に記憶された結果表示画面データに基づき、表示部１４に結果表示画面が提示され、ステップＳ２０に進む。ここで提示される結果表示画面は、例えば、図１７で示したような要素が更に絞り込まれた入力支援テンプレート表示Ｔ２ａとなる。
【０２１６】
ステップＳ２７では、情報検索部１４０により、参考情報が要求されたか否か判定される。ここで、ステップＳ２０で「参考情報検索」を要求するコマンドが入力されれば、新規な検索ルールが情報取得部１４１に入力されて、ステップＳ２８に進む。一方、参考情報が要求されていなければ、図２６のステップＳ４１に進む。
【０２１７】
ステップＳ２８では、情報検索部１４０及び表示制御部１１ｃの制御により、参考情報検索の詳細な内容を示すコマンドリストが提示される。例えば、図１８で示した入力支援テンプレート表示Ｔ２のように、参考情報検索の詳細な内容を示すコマンドリストＬｓが、一覧表示ＮＶの近傍に提示される。
【０２１８】
ステップＳ２９では、情報検索部１４０により、コマンドが入力されたか否か判定される。ここでは、コマンドリストＬｓで指定されたアイコンに対応する所望のコマンドが入力されるまで、ステップＳ２９の判定が繰り返され、所望のコマンドが入力されると、情報取得部１４１に新規な検索ルールが入力されて、ステップＳ３０に進む。
【０２１９】
ステップＳ３０では、情報取得部１４１により、入力支援テンプレート表示で指定された要素（指定要素）と、ステップＳ２８で提示されたコマンドリストにて指定されたコマンドとに対応する一部関連情報が取得される。例えば、図１８で示した入力支援テンプレート表示Ｔ２で、チェックマークが付されて指定された要素（指定要素）の組合せを検索条件として、支援情報ＤＢ５００のうち、コマンドリストＬｓで指定されたコマンドに対応する関連情報（例えば第２関連情報５０２）から一部関連情報（第２一部関連情報）が取得される。
【０２２０】
ステップＳ３１では、情報取得部１４１により、ステップＳ３０で取得された第２一部関連情報が、検索条件に含まれる１以上の要素を起点とし、ステップＳ１６で取得された第１一部関連情報に連結され、適宜アークが追加されることで、連結後一部関連情報が生成され、保持制御部１４２により、ＲＡＭの保持情報ＰＤに記憶される。
【０２２１】
ステップＳ３２では、画面情報生成部１４４により、ステップＳ３１で保持情報ＰＤ内に記憶された連結後一部関連情報に基づき、画面生成ルールに従って、結果表示画面データ（参考情報検索結果表示画面データ）が生成され、ＲＡＭ内に記憶される。このとき、例えば、ＲＡＭ内の保持情報ＤＤに参考情報検索結果表示画面データが記憶される。なお、参考情報検索結果表示画面データは、連結後一部関連情報のうち、表示順を示すアークによって関連付けられた要素が、項目毎に並べられ、表示順を示すアークに応じて相互に関連付け直された情報（ネットワーク情報）を含む。
【０２２２】
ステップＳ３３では、表示制御部１１ｃにより、ステップＳ３２で保持情報ＤＤ内に記憶された参考情報検索結果表示画面データに基づき、表示部１４において入力支援テンプレート表示（例えば図１９で示した入力支援テンプレート表示Ｔ２ｂ）を含む結果表示画面が提示され、ステップＳ２０に進む。
【０２２３】
次に、図２６のステップＳ４１では、情報検索部１４０により、項目の増減が要求されたか否か判定される。ここで、ステップＳ２０で「項目の増減」を要求するコマンドが入力されれば、ステップＳ４２に進む。一方、項目の増減が要求されていなければ、図２５のステップＳ２０に進む。
【０２２４】
ステップＳ４２では、情報検索部１４０及び表示制御部１１ｃの制御により、結果表示画面において提示対象となり得る項目が列挙された表示項目リストが提示される。例えば、入力支援テンプレート表示Ｔ２の領域Ａ５に、図２１で示した表示項目リストＦＬが提示される。
【０２２５】
ステップＳ４３では、操作部１３から情報検索部１４０への要求に応じて、情報取得部１４１により、表示項目リストＦＬで表示項目が決定されたか否か判定される。ここでは、表示項目が決定されるまで、ステップＳ４３の判定が繰り返され、表示項目が決定されれば、ステップＳ４４に進む。
【０２２６】
ステップＳ４４では、情報取得部１４１により、表示項目リストＦＬで指定された表示項目に対応する一部関連情報（例えば項目増加一部関連情報）が生成され、保持制御部１４２により、ＲＡＭの保持情報ＰＤ内に記憶される。項目増加一部関連情報は、表示項目リストＦＬにおいて決定された表示項目に応じて、保持情報ＰＤ内の第１一部関連情報に対して新規なアークが付加されたものである。なお、表示項目を減少させる際には、第１一部関連情報から適宜アークを削除すれば良い。
【０２２７】
ステップＳ４５では、画面情報生成部１４４により、ステップＳ４４で保持情報ＰＤ内に記憶された一部関連情報に基づき、画面生成ルールに従って、結果表示画面データ（例えば、項目増加結果表示画面データ）が生成され、ＲＡＭ内に記憶される。このとき、例えば、ＲＡＭ内の保持情報ＤＤに結果表示画面データが記憶される。なお、結果表示画面データは、一部関連情報のうち、表示順を示すアークによって関連付けられた要素が、項目毎に並べられ、表示順を示すアークに応じて相互に関連付け直された情報（ネットワーク情報）を含む。
【０２２８】
ステップＳ４６では、表示制御部１１ｃにより、ステップＳ４５で保持情報ＤＤ内に記憶された結果表示画面データに基づき、表示部１４において入力支援テンプレート表示（例えば図２３で示した入力支援テンプレート表示Ｔ２ｄ）を含む結果表示画面が提示され、ステップＳ２０に進む。
【０２２９】
このようにして、ユーザは、レポート作成用端末１０において、入力支援テンプレート表示で提示される項目数や要素数を増減させつつ、必要に応じて参考情報を表示させることで、より状況に即した読影レポートを入力することができる。
【０２３０】
以上のように、本発明の実施形態に係る情報処理システム１では、まず、支援情報ＤＢ５００を構成する第１関連情報５０１から検索ルールに対応する一部関連情報（例えば第１一部関連情報）が取得され、この一部関連情報に基づく一覧表示ＮＶが可視的に出力される。次に、一覧表示ＮＶに含まれた１以上の要素を示す新規な検索ルールに対応する新規な一部関連情報（例えば第２一部関連情報）が、支援情報ＤＢ５００を構成する第１関連情報５０１以外の関連情報（例えば、第２及び第３関連情報５０２，５０３）から取得される。そして、新規な一部関連情報を含む情報（例えば連結後一部関連情報）に基づく一覧表示ＮＶ２が可視的に出力される。このような構成を採用することで、前回の検索結果では含まれていなかった情報を、前回の検索結果を利用しつつ得ることができる。このため、複数回の検索によって所望の検索結果を得る場合に、ユーザは、煩雑な入力を行うことなく、所望の検索結果を効率良く得ることができる。
【０２３１】
また、入力支援テンプレート表示Ｔ２に含まれる一覧表示ＮＶにおいて、新規な検索ルールに係る複数の要素の組合せを指定することができる。このため、新規な検索ルールに関する詳細な要素の指定が容易に可能となり、所望の検索結果を効率良く得ることができる。なお、一覧表示ＮＶで、新規な検索ルールに係る少なくとも１以上の要素を指定することができれば、容易に次の検索ルールを入力することができるが、複数の要素の組合せからなる詳細な要素の指定が可能である方が、容易に次の検索ルールを入力する上でより好ましい。
【０２３２】
また、既に表示された一覧表示を可視的に出力するための結果表示画面データが、表示の履歴を示す情報として、保持情報ＤＤ内に保持される。このため、ユーザの要求に応じて、既に表示させた一覧表示を容易に再表示させることができる。
【０２３３】
更に、医師や看護師等によって文体が異なる各種医療に関するレポートを作成する際に、参考となる情報を効率良く得ることができ、医療に関するレポートの適正かつ迅速な作成に資する。例えば、読影医が迅速に大量の読影レポートを作成しなければならない現状に即して、読影レポートを作成する際に参考となる情報を効率良く得ることができ、読影レポートの適正かつ迅速な作成に資する。
【０２３４】
なお、ＲＤＦを用いて第１〜第３関連情報５０１〜５０３や各一部関連情報を記述するような構成を採用することで、容易に関連情報や一部関連情報を記述することができる。
【０２３５】
＜変形例＞
以上、この発明の実施形態について説明したが、この発明は上記説明した内容のものに限定されるものではない。
【０２３６】
◎例えば、上記実施形態では、既に表示した結果表示画面に係る結果表示画面データを保持情報ＤＤに履歴を示す情報として保持しておき、ユーザの要求に応じて、領域Ａ５で提示される画面を、直前の画面とすることができたが、これに限られない。例えば、既に表示した結果表示画面のうち、直近に表示した所定数（例えば、３つ）の結果表示画面（すなわち直近の表示履歴）を示す縮小表示（サムネイル画像）が領域Ａ５の端部近傍に表示され、所望のサムネイル画像を指定することで、指定されたサムネイル画像に係る結果表示画面が領域Ａ５に拡大表示されても良い。
【０２３７】
以下、具体例を示して説明する。
【０２３８】
図２７及び図２８は、領域Ａ５において、サムネイル画像が端部近傍に表示された入力支援テンプレート表示Ｔ２ｅを例示する図である。
【０２３９】
図２７で示すように、入力支援テンプレート表示Ｔ２ｅでは、左方から約２／３を占める領域に、上述した入力支援テンプレート表示Ｔ２，Ｔ２ａ〜Ｔ２ｄと同様な表示要素が提示され、右方から約１／３を占める領域ＳＡ１〜ＳＡ３に、結果表示画面の履歴を示すサムネイル画像（例えば図２８(ａ)〜(ｃ)で示すサムネイル画像）が提示される。
【０２４０】
このサムネイル画像は、保持情報ＤＤ内に格納された１以上の結果表示画面データに基づき、表示制御部１１ｃによって提示される。なお、結果表示画面データには、指定要素を示すチェックマークも含ませることで、既に表示した画面をより正確に再現することができる。
【０２４１】
このようなサムネイル画像を表示する構成は、入力支援テンプレート表示Ｔ２において各項目に対する要素の指定を変更しつつ、参考情報を提示する操作を繰り返す際に、既に表示した複数の参考情報を提示する画面のうち、所望の画面を再表示させたい場合に特に有効的である。
【０２４２】
更に、具体的なバリエーションを示して説明する。
【０２４３】
入力支援テンプレート表示Ｔ２（例えば図１４）において、一覧表示（第１一覧表示）ＮＶに含まれる１以上の要素が指定されつつ、確定診断に係る参考情報を要求するコマンドが入力されて、参考情報検索に係る検索ルールが入力されると、情報取得部１４１により、第２関連情報５０２から指定された１以上の要素に対応する一部関連情報が抽出され、更に連結後一部関連情報（第１連結後一部関連情報）が取得される。このとき、保持制御部１４２により、第１連結後一部関連情報が、ＲＡＭ内の保持情報ＰＤに記憶されるとともに、画面情報生成部１４４により、第１連結後一部関連情報に基づく結果表示画面データが生成され、ＲＡＭ内の保持情報ＤＤに記憶される。このとき、表示制御部１１ｃにより、第１連結後一部関連情報に基づく結果表示画面データの一覧表示（第２一覧表示）ＮＶ２を含む結果表示画面（例えば図１９）が領域Ａ５に可視的に提示される。ここで、第２一覧表示ＮＶ２を含む結果表示画面において、元の画面に戻るコマンドが要求されると、表示部１４で表示される画面が、第１一覧表示ＮＶを含む元の結果表示画面に戻る。
【０２４４】
そして、第１一覧表示ＮＶに含まれる１以上の要素が指定されつつ、血液検査に係る参考情報を要求するコマンドが入力されて、参考情報検索に係る検索ルールが入力されると、情報取得部１４１により、第３関連情報５０３から指定された１以上の要素に対応する一部関連情報が抽出され、更に連結後一部関連情報（第２連結後一部関連情報）が取得される。このとき、保持制御部１４２により、第２連結後一部関連情報が、ＲＡＭ内の保持情報ＰＤに記憶されるとともに、画面情報生成部１４４により、第２連結後一部関連情報に基づく結果表示画面データが生成され、ＲＡＭ内の保持情報ＤＤに記憶される。このとき、表示制御部１１ｃにより、第２連結後一部関連情報に基づく結果表示画面データの一覧表示（第３一覧表示）を含む結果表示画面（例えば図２０）が領域Ａ５に可視的に提示される。ここで、第３一覧表示を含む結果表示画面において、元の画面に戻るコマンドが要求されると、表示部１４で表示される画面が、第１一覧表示ＮＶを含む元の結果表示画面に戻る。
【０２４５】
このとき、保持情報ＤＤには、第１〜第３一覧表示をそれぞれ含む結果表示画面を示す結果表示画面データが保持された状態にある。そして、表示制御部１１ｃにより、保持情報ＤＤに格納される第１及び第２連結後一部関連情報に係る結果表示画面データに基づき、第１一覧表示ＮＶ、及び第２及び第３一覧表示をそれぞれ含む結果表示画面の縮小表示（サムネイル画像）が領域Ａ５に可視的に提示される。より詳細には、図２７の領域ＳＡ１〜ＳＡ３に、第２一覧表示を含む結果表示画面（例えば図１９）と第３一覧表示を含む結果表示画面（例えば図２０）とが表示される。
【０２４６】
そして、第２一覧表示を含む結果表示画面に係るサムネイル画像にマウスポインタＭＰが合わされて、左クリックがなされると、保持情報ＤＤに保持された第２一覧表示を含む結果表示画面を示す結果表示画面データに基づき、例えば図１９で示したような結果表示画面Ｔ２ｂが領域Ａ５で拡大表示される。一方、第３一覧表示を含む結果表示画面に係るサムネイル画像にマウスポインタＭＰが合わされて、左クリックがなされると、保持情報ＤＤに保持された第３一覧表示を含む結果表示画面を示す結果表示画面データに基づき、例えば図２０で示したような結果表示画面Ｔ２ｃが領域Ａ５で拡大表示される。
【０２４７】
このように、表示履歴をサムネイル画像の形式で提示することで、既に表示した所望の画面をより迅速に再表示させることができる。このため、既に参照したことのある情報を、検索ルールを入力し直すことなく、効率良く再表示させることが可能となる。つまり、煩雑な入力を行うことなく、更に効率良く、所望の情報を得ることができる。
【０２４８】
なお、上記具体例では、第２及び第３関連情報５０２，５０３から第１及び第２一部関連情報が抽出されるとともに、第１及び第２連結後一部関連情報が取得され、第１及び第２連結後一部関連情報に係る表示履歴がサムネイル画像の形式で提示されたが、これに限られない。例えば、検索ルールが変更されつつ、第２関連情報５０２から第１及び第２一部関連情報が抽出されるとともに、第１及び第２連結後一部関連情報が取得され、第１及び第２連結後一部関連情報に係る表示履歴がサムネイル画像の形式で提示されるようにしても良い。
【０２４９】
◎また、上記実施形態では、第１一部関連情報と第２一部関連情報とが連結される際に、重複する項目に属する要素が起点とされたが、これに限られず、例えば、第１一部関連情報に含まれる所定の項目に係るノードを基準（起点）として、第２一部関連情報を構成するノードがアークによって繋がれることで連結されても良い。このような構成を採用すると、例えば、第１関連情報５０１と第２関連情報５０２とが重複する項目を有しない場合にも、第１一部関連情報と第２一部関連情報の連結が可能となる。
【０２５０】
◎また、上記実施形態では、第１一部関連情報と第２一部関連情報とが連結されたが、これに限られない。例えば、上記実施形態のように、第２関連情報５０２が、対比したい双方の項目「診断」「確定診断」に属する要素を含む場合には、第１一部関連情報と第２一部関連情報とを連結することなく、第２一部関連情報から直接的に参考情報検索結果表示画面データを生成するようにしても良い。
【０２５１】
◎また、上記実施形態では、第１〜３関連情報５０１〜５０３が、それぞれ単レポート構造化データの集合であったが、これに限られない。例えば、各単レポート構造化データに含まれる複数の属性値を、属性項目毎に並べて相互に関連付け直してＲＤＦで記述するとともに、各単レポート構造化データに含まれていた複数の属性値の組合せを示す情報（「組合せ情報」とも称する）を生成して、各第１〜３関連情報５０１〜５０３としても良い。このような態様を採用しても、各第１〜３関連情報５０１〜５０３は、複数の項目に含まれる各項目に１以上の要素が属し、且つ複数の項目にそれぞれ属する複数の要素の組合せを各々示す複数通りの組合せ情報を含んで構成される。
【０２５２】
なお、このような構成を採用する場合には、検索ルールが示す１以上の要素と、組合せ情報とを参照しつつ、各第１〜３関連情報５０１〜５０３から一部関連情報を取得するようにすれば良い。そして、このような構成では、取得された一部関連情報が、検索結果として可視的に出力するネットワーク情報（すなわち一覧表示）と同様な形態を有する。
【０２５３】
◎また、上記実施形態では、検査装置として、ＣＴ等といった放射線を用いた装置、及びＭＲ等といった磁気を用いた装置を挙げて説明したが、これに限られず、本発明は、内視鏡等その他の装置を用いて、人体を撮影して診断するような、各種読影を行う場合一般に適用することができる。
【０２５４】
◎また、上記実施形態では、撮影された画像を読影して読影レポートを作成するシステムを例にとって説明したが、これに限られず、例えば、看護レポートやインシデントレポート等といったその他の医療に関するレポートを作成するシステムについても本発明を適用することができる。更に、例えば、営業レポート等といった医療以外の分野のレポートの作成についても本発明を適用することができ、更に、例えば、おすすめ旅行や商品を提示するような分野等、レポート以外の各種文書を作成する分野についても本発明を適用することができる。
【０２５５】
◎また、上記実施形態では、読影レポートの所見文が、「肺尖部にて索状影を認め、術後変化を疑う。」といった自然文の形式であったが、これに限られず、例えば、所見文の形式が、「部位：肺尖部」「所見：索状影」「診断：術後変化」等といった予め属性項目毎に要素が関連付けられて構造化されたような形式であっても良い。このような所見文の形式を採用した場合には、端末１０の機能構成の一部省略により、情報処理システム１の機能構成が簡略化されるとともに、情報処理に要する時間が低減される。
【０２５６】
◎なお、上記実施形態に係る情報処理システム１の機能構成が、１台の機器に内蔵されるＣＰＵ等によって構成される制御部で１つのプログラムが実行されることで実現されても良いし、複数台の機器にそれぞれ内蔵されるＣＰＵ等によって構成される各制御部でそれぞれプログラムが実行されて、複数台の機器が協働して、上記実施形態に係る情報処理システム１の機能構成が実現されても良い。
【図面の簡単な説明】
【０２５７】
【図１】本発明の実施形態に係る情報処理システムの概要を示す図である。
【図２】情報処理システムの機能構成を示すブロック図である。
【図３】単レポート構造化データのデータ構成例を示す模式図である。
【図４】支援情報生成動作の動作フローを示すフローチャートである。
【図５】検査一覧画面を例示する図である。
【図６】読影レポート入力画面を例示する図である。
【図７】依頼事項の内容を例示する図である。
【図８】検査の詳細な内容を例示する図である。
【図９】頻出句の一覧を示す図である。
【図１０】定型文の一覧を示す図である。
【図１１】情報検索機能に係る機能構成を示すブロック図である。
【図１２】検索条件決定テンプレート表示を例示する図である。
【図１３】単レポート構造化データのデータ構成例を示す模式図である。
【図１４】入力支援テンプレート表示を例示する図である。
【図１５】入力支援テンプレート表示を例示する図である。
【図１６】入力支援テンプレート表示を例示する図である。
【図１７】絞り込み検索結果を示す入力支援テンプレート表示を例示する図である。
【図１８】入力支援テンプレート表示を例示する図である。
【図１９】参考情報検索の結果表示画面を例示する図である。
【図２０】参考情報検索の結果表示画面を例示する図である。
【図２１】表示項目リストを例示する図である。
【図２２】単レポート構造化データのデータ構成例を示す模式図である。
【図２３】項目増加後の入力支援テンプレート表示を例示する図である。
【図２４】入力支援動作の動作フローを示すフローチャートである。
【図２５】入力支援動作の動作フローを示すフローチャートである。
【図２６】入力支援動作の動作フローを示すフローチャートである。
【図２７】表示履歴を示すサムネイル画像を含む結果表示画面を例示する図である。
【図２８】表示履歴を示すサムネイル画像を含む結果表示画面を例示する図である。
【符号の説明】
【０２５８】
１  情報処理システム
１０  レポート作成用端末
１１  端末制御部
１１ａ  入出力部
１１ｂ  タスク管理部
１１ｃ  表示制御部
１２  記憶部
１３  操作部
１４  表示部
１００  レポート作成支援サーバ
１０１  サーバ制御部
１０２  記憶部
１４０  情報検索部
１４１  情報取得部
１４２  保持制御部
１４４  画面情報生成部
５００  支援情報ＤＢ
５０１  第１関連情報
５０２  第２関連情報
５０３  第３関連情報
ＤＤ，ＰＤ  保持情報
ＰＧ１，ＰＧ２  プログラム
【図１】
2008287475.tif 000003
【図２】
2008287475.tif 000004
【図３】
2008287475.tif 000005
【図４】
2008287475.tif 000006
【図５】
2008287475.tif 000007
【図６】
2008287475.tif 000008
【図７】
2008287475.tif 000009
【図８】
2008287475.tif 000010
【図９】
2008287475.tif 000011
【図１０】
2008287475.tif 000012
【図１１】
2008287475.tif 000013
【図１２】
2008287475.tif 000014
【図１３】
2008287475.tif 000015
【図１４】
2008287475.tif 000016
【図１５】
2008287475.tif 000017
【図１６】
2008287475.tif 000018
【図１７】
2008287475.tif 000019
【図１８】
2008287475.tif 000020
【図１９】
2008287475.tif 000021
【図２０】
2008287475.tif 000022
【図２１】
2008287475.tif 000023
【図２２】
2008287475.tif 000024
【図２３】
2008287475.tif 000025
【図２４】
2008287475.tif 000026
【図２５】
2008287475.tif 000027
【図２６】
2008287475.tif 000028
【図２７】
2008287475.tif 000029
【図２８】
2008287475.tif 000030